(57)【要約】      （修正有）【課題】脳波の測定精度を高めることができる脳波測定装置及び脳波測定システムを提供する。【解決手段】脳波測定装置は、ユーザの一方の耳に装着されて脳波を測定する第１脳波測定装置と、他方の耳に装着されて脳波を測定する第２脳波測定装置と、脳波測定結果を端末装置に送信する送信手段と、を含み、第１脳波測定装置は、一方の耳に接触する第１脳波測定手段と、第１脳波測定手段と繋がって一方の耳に接触する第２脳波測定手段と、を有し、第２脳波測定装置は、他方の耳に接触する第３脳波測定手段と、第３脳波測定手段と繋がって前記他方の耳に接触する第４脳波測定手段と、を有する。【選択図】図３
2018158089.tif 000002
【特許請求の範囲】
【請求項１】
ユーザの耳に接触する第１脳波測定手段と、
前記第１脳波測定手段と繋がって前記耳に接触する第２脳波測定手段と、
前記第１脳波測定手段と前記第２脳波測定手段とによる脳波測定結果を端末装置に送信する送信手段と、
を有する脳波測定装置。
【請求項２】
前記第１脳波測定手段と前記第２脳波測定手段とによって前記耳を挟む、
ことを特徴とする請求項１に記載の脳波測定装置。
【請求項３】
前記第１脳波測定手段は前記耳に挿入される、
ことを特徴とする請求項１又は請求項２に記載の脳波測定装置。
【請求項４】
前記第１脳波測定手段は弾性部材によって構成されている、
ことを特徴とする請求項３に記載の脳波測定装置。
【請求項５】
前記弾性部材は導電性を有する部材である、
ことを特徴とする請求項４に記載の脳波測定装置。
【請求項６】
前記第２脳波測定手段は、前記耳に掛けられる耳掛け部に設けられており、
前記耳に挿入される前記第１脳波測定手段と前記耳掛け部に設けられた前記第２脳波測定手段とによって前記耳を挟んだ状態で脳波を測定する、
ことを特徴とする請求項３から請求項５何れかに記載の脳波測定装置。
【請求項７】
前記耳に挿入されるスピーカ部を更に有し、
前記第１脳波測定手段は、前記スピーカ部の外周に設けられている、
ことを特徴とする請求項１又は請求項２に記載の脳波測定装置。
【請求項８】
前記スピーカ部を支持する支持部材と繋がって前記耳に掛けられる耳掛け部を更に有し、
前記第２脳波測定手段は、前記耳掛け部に設けられている、
ことを特徴とする請求項７に記載の脳波測定装置。
【請求項９】
前記耳掛け部は、前記耳の裏側に接触する湾曲部を有し、
前記第２脳波測定手段は、前記湾曲部に設けられている、
ことを特徴とする請求項８に記載の脳波測定装置。
【請求項１０】
前記湾曲部は、部分的に異なる曲率を有する、
ことを特徴とする請求項９に記載の脳波測定装置。
【請求項１１】
前記曲率は、前記湾曲部に沿って前記支持部材に近い位置からより遠い位置にかけて段階的に大きくなっている、
ことを特徴とする請求項１０に記載の脳波測定装置。
【請求項１２】
前記第２脳波測定手段は、前記耳掛け部に沿って設けられた複数の脳波センサを含む、
ことを特徴とする請求項８から請求項１１何れかに記載の脳波測定装置。
【請求項１３】
前記スピーカ部を駆動するための電力を供給する電池を更に有し、
前記送信手段は、前記電池の充電中、前記脳波測定結果の送信を停止する、
ことを特徴とする請求項７から請求項１２何れかに記載の脳波測定装置。
【請求項１４】
前記送信手段は、電磁波防止部材が装着された場合、前記電池の充電中であっても、前記脳波測定結果を前記端末装置に送信する、
ことを特徴とする請求項１３に記載の脳波測定装置。
【請求項１５】
前記送信手段は、無線通信によって前記脳波測定結果を前記端末装置に送信する、
ことを特徴とする請求項１から請求項１４何れかに記載の脳波測定装置。
【請求項１６】
ユーザの一方の耳に装着されて前記ユーザの脳波を測定する第１脳波測定装置と、
前記ユーザの他方の耳に装着されて前記ユーザの脳波を測定する第２脳波測定装置と、
脳波測定結果を端末装置に送信する送信手段と、
を含み、
前記第１脳波測定装置は、
前記一方の耳に接触する第１脳波測定手段と、
前記第１脳波測定手段と繋がって前記一方の耳に接触する第２脳波測定手段と、
を有し、
前記第２脳波測定装置は、
前記他方の耳に接触する第３脳波測定手段と、
前記第３脳波測定手段と繋がって前記他方の耳に接触する第４脳波測定手段と、
を有する、
脳波測定システム。
【請求項１７】
前記第１脳波測定装置又は前記第２脳波測定装置のいずれか一方の装置に障害が発生した場合、前記送信手段は、障害が発生していない他方の装置の脳波測定結果を前記端末装置に送信する、
ことを特徴とする請求項１６に記載の脳波測定システム。
【請求項１８】
前記第１脳波測定装置と前記第２脳波測定装置とを接続するケーブルを更に有し、
前記ケーブルを介して、前記第１脳波測定装置と前記第２脳波測定装置との間で情報の送受信が行われる、
ことを特徴とする請求項１６又は請求項１７に記載の脳波測定システム。
【請求項１９】
前記第１脳波測定装置は電池を更に有し、
前記第１脳波測定装置は前記電池から供給された電力によって駆動し、
前記第２脳波測定装置は、前記ケーブルを介して前記第１脳波測定装置の前記電池から前記第２脳波測定装置に供給された電力によって駆動する、
ことを特徴とする請求項１８に記載の脳波測定システム。
【請求項２０】
前記送信手段は、前記電池の充電中、前記第２脳波測定装置による脳波測定結果を前記端末装置に送信する、
ことを特徴とする請求項１９に記載の脳波測定システム。
【請求項２１】
前記第１脳波測定装置は、
前記一方の耳に挿入され、前記電池から供給された電力によって駆動する第１スピーカ部と、
前記第１スピーカ部を支持する第１支持部材と、
前記第１支持部材と繋がって前記一方の耳に掛けられる第１耳掛け部と、
を更に有し、
前記第１脳波測定手段は、前記第１スピーカ部の外周に設けられており、
前記第２脳波測定手段は、前記第１耳掛け部に設けられており、
前記第２脳波測定装置は、
前記他方の耳に挿入され、前記ケーブルを介して前記電池から供給された電力によって駆動する第２スピーカ部と、
前記第２スピーカ部を支持する第２支持部材と、
前記第２支持部材と繋がって前記他方の耳に掛けられる第２耳掛け部と、
を更に有し、
前記第３脳波測定手段は、前記第２スピーカ部の外周に設けられており、
前記第４脳波測定手段は、前記第２耳掛け部に設けられている、
ことを特徴とする請求項１９又は請求項２０に記載の脳波測定システム。
【請求項２２】
前記送信手段は、
前記第１脳波測定装置に設けられた第１送信手段と、
前記第２脳波測定装置に設けられた第２送信手段と、
を有し、
前記ケーブルに障害が発生した場合、前記第１送信手段は、前記第１脳波測定装置の脳波測定結果を前記端末装置に送信し、前記第２送信手段は、前記第２脳波測定装置の脳波測定結果を前記端末装置に送信する、
ことを特徴とする請求項１８から請求項２１何れかに記載の脳波測定システム。
【請求項２３】
前記送信手段による送信を制御する送信制御手段を更に有し、
前記送信手段は、
前記第１脳波測定装置に設けられた第１送信手段と、
前記第２脳波測定装置に設けられた第２送信手段と、
を有し、
前記第１送信手段又は前記第２送信手段のいずれか一方の送信手段に障害が発生した場合、前記送信制御手段は、障害が発生していない他方の送信手段に脳波測定結果を前記端末装置に送信させる、
ことを特徴とする請求項１６から請求項２１何れかに記載の脳波測定システム。
【請求項２４】
前記第１脳波測定手段、前記第２脳波測定手段、前記第３脳波測定手段、及び、前記第４脳波測定手段を含む脳波測定手段群の中の少なくとも２つの脳波測定手段を用いて脳波が測定される、
ことを特徴とする請求項１６に記載の脳波測定システム。
【請求項２５】
脳波の測定状況に応じて、前記脳波測定手段群の中の少なくとも２つの脳波測定手段を用いた第１測定モード、又は、少なくとも３つの脳波測定手段を用いた第２測定モードのいずれかが選択されて脳波が測定される、
ことを特徴とする請求項２４に記載の脳波測定システム。
【請求項２６】
脳波の測定状況に応じて、前記脳波測定手段群の中の少なくとも２つの脳波測定手段を用いた第１測定モード、又は、少なくとも３つの脳波測定手段を用いた第２測定モードのいずれかが選択されてユーザに提示される、
ことを特徴とする請求項２４に記載の脳波測定システム。
【請求項２７】
脳波測定手段によって検知されたノイズの量が予め定められた閾値未満の場合、前記第１測定モードが選択され、ノイズの量が前記閾値以上の場合、前記第２測定モードが選択される、
ことを特徴とする請求項２５又は請求項２６に記載の脳波測定システム。
【請求項２８】
前記第１脳波測定装置と前記第２脳波測定装置に電力を供給する電池を更に有し、
前記電池の残容量に応じて、前記脳波測定手段群の中の少なくとも２つの脳波測定手段を用いた第１測定モード、又は、少なくとも３つの脳波測定手段を用いた第２測定モードのいずれかが選択されて脳波が測定される、
ことを特徴とする請求項２４に記載の脳波測定システム。
【請求項２９】
前記第１脳波測定装置と前記第２脳波測定装置に電力を供給する電池を更に有し、
前記電池の残容量に応じて、前記脳波測定手段群の中の少なくとも２つの脳波測定手段を用いた第１測定モード、又は、少なくとも３つの脳波測定手段を用いた第２測定モードのいずれかが選択されてユーザに提示される、
ことを特徴とする請求項２４に記載の脳波測定システム。
【請求項３０】
前記残容量が予め定められた閾値未満の場合、前記第１測定モードが選択され、前記残容量が前記閾値以上の場合、前記第２測定モードが選択される、
ことを特徴とする請求項２８又は請求項２９に記載の脳波測定システム。
【請求項３１】
前記第１測定モードでは、前記脳波測定手段群の中から選択された１つの脳波測定手段が脳波検知用電極として用いられ、１つの脳波測定手段が基準用電極として用いられ、前記脳波検知用電極及び前記基準用電極の検知結果に基づいて脳波が測定され、
前記第２検知モードでは、前記脳波測定手段群の中から選択された１つの脳波測定手段が前記脳波検知用電極として用いられ、１つの脳波測定手段が参照用電極として用いられ、１つの脳波測定手段が前記基準用電極として用いられ、前記脳波検知用電極、前記参照用電極及び前記基準用電極の検知結果に基づいて脳波が測定される、
ことを特徴とする請求項２５から請求項３０何れかに記載の脳波測定システム。
【請求項３２】
前記脳波測定手段群に含まれる各脳波測定手段と生体との接触状態に応じて、脳波の測定に用いられる脳波測定手段が変更される、
ことを特徴とする請求項２４に記載の脳波測定システム。
【請求項３３】
前記接触状態は、圧力センサ及び湿度センサの中の少なくとも１つを用いて検知される、
ことを特徴とする請求項３２に記載の脳波測定システム。
【請求項３４】
前記脳波測定手段群を表示手段に表示させ、前記脳波測定手段群の中からユーザによって選択された脳波測定手段による測定結果に対する評価を表示手段に表示させる制御手段を更に有する、
ことを特徴とする請求項２４に記載の脳波測定システム。
【請求項３５】
前記評価は、測定結果についての順位である、
ことを特徴とする請求項３４に記載の脳波測定システム。
【請求項３６】
前記脳波測定手段群に含まれる各脳波測定手段による測定結果に対する評価に基づいて、前記脳波測定手段群の中から脳波測定に用いられる複数の脳波測定手段をユーザに提示する提示手段を更に有する、
ことを特徴とする請求項２４に記載の脳波測定システム。
【請求項３７】
ユーザの耳に接触して設けられる複数の電極と、
前記複数の電極の中の少なくとも２つの電極を用いて前記ユーザの脳波を測定する制御手段と、
を有する脳波測定装置。
【請求項３８】
前記制御手段は、前記複数の電極の中の少なくとも３つの電極を用いて脳波を測定する、
ことを特徴とする請求項３７に記載の脳波測定装置。
【請求項３９】
前記制御手段は、脳波測定に用いられる電極を切り替えることで、前記少なくとも３つの電極を用いて脳波を測定する、
ことを特徴とする請求項３８に記載の脳波測定装置。
【請求項４０】
前記制御手段は、脳波の測定状況に応じて、脳波測定に用いられる電極を切り替える、
ことを特徴とする請求項３９に記載の脳波測定装置。
【請求項４１】
前記少なくとも３つの電極は、脳波検知用電極として用いられる第１電極、参照用電極として用いられる第２電極、及び、基準用電極として用いられる第３電極を含み、
前記制御手段は、前記第１電極、前記第２電極、及び、前記第３電極の検知結果に基づいて脳波を測定する、
ことを特徴とする請求項３８から請求項４０何れかに記載の脳波測定装置。
【請求項４２】
前記制御手段は、前記第１電極、前記第２電極及び前記第３電極の中の少なくとも１つの電極を切り替えて脳波を測定する、
ことを特徴とする請求項４１に記載の脳波測定装置。
【請求項４３】
前記複数の電極は、前記ユーザの片方の耳又は両方の耳に設けられる、
ことを特徴とする請求項３７から請求項４２何れかに記載の脳波測定装置。
【請求項４４】
前記複数の電極は、前記耳に挿入される電極を含む、
ことを特徴とする請求項３７から請求項４３何れかに記載の脳波測定装置。
【請求項４５】
前記複数の電極は、前記耳に掛けられる耳掛け部に設けられた電極を更に含み、
前記耳に挿入される電極と前記耳掛け部に設けられた電極とによって前記耳を挟んだ状態で脳波が測定される、
ことを特徴とする請求項４４に記載の脳波測定装置。
【発明の詳細な説明】
【技術分野】
【０００１】
本発明は、脳波測定装置及び脳波測定システムに関する。
【背景技術】
【０００２】
人の状態を測定する技術として、脳波測定技術がある。通常、頭部に設置された電極によって電位を測定することで、脳波が測定される（特許文献１参照）。
【先行技術文献】
【特許文献】
【０００３】
【特許文献１】特開平０７−２０４１６８号公報
【発明の概要】
【発明が解決しようとする課題】
【０００４】
本発明の目的は、簡易に脳波を測定することにある。
【課題を解決するための手段】
【０００５】
請求項１に記載の発明は、ユーザの耳に接触する第１脳波測定手段と、前記第１脳波測定手段と繋がって前記耳に接触する第２脳波測定手段と、前記第１脳波測定手段と前記第２脳波測定手段とによる脳波測定結果を端末装置に送信する送信手段と、を有する脳波測定装置である。
【０００６】
請求項２に記載の発明は、前記第１脳波測定手段と前記第２脳波測定手段とによって前記耳を挟む、ことを特徴とする請求項１に記載の脳波測定装置である。
【０００７】
請求項３に記載の発明は、前記第１脳波測定手段は前記耳に挿入される、ことを特徴とする請求項１又は請求項２に記載の脳波測定装置である。
【０００８】
請求項４に記載の発明は、前記第１脳波測定手段は弾性部材によって構成されている、ことを特徴とする請求項３に記載の脳波測定装置である。
【０００９】
請求項５に記載の発明は、前記弾性部材は導電性を有する部材である、ことを特徴とする請求項４に記載の脳波測定装置である。
【００１０】
請求項６に記載の発明は、前記第２脳波測定手段は、前記耳に掛けられる耳掛け部に設けられており、前記耳に挿入される前記第１脳波測定手段と前記耳掛け部に設けられた前記第２脳波測定手段とによって前記耳を挟んだ状態で脳波を測定する、ことを特徴とする請求項３から請求項５何れかに記載の脳波測定装置である。
【００１１】
請求項７に記載の発明は、前記耳に挿入されるスピーカ部を更に有し、前記第１脳波測定手段は、前記スピーカ部の外周に設けられている、ことを特徴とする請求項１又は請求項２に記載の脳波測定装置である。
【００１２】
請求項８に記載の発明は、前記スピーカ部を支持する支持部材と繋がって前記耳に掛けられる耳掛け部を更に有し、前記第２脳波測定手段は、前記耳掛け部に設けられている、ことを特徴とする請求項７に記載の脳波測定装置である。
【００１３】
請求項９に記載の発明は、前記耳掛け部は、前記耳の裏側に接触する湾曲部を有し、前記第２脳波測定手段は、前記湾曲部に設けられている、ことを特徴とする請求項８に記載の脳波測定装置である。
【００１４】
請求項１０に記載の発明は、前記湾曲部は、部分的に異なる曲率を有する、ことを特徴とする請求項９に記載の脳波測定装置である。
【００１５】
請求項１１に記載の発明は、前記曲率は、前記湾曲部に沿って前記支持部材に近い位置からより遠い位置にかけて段階的に大きくなっている、ことを特徴とする請求項１０に記載の脳波測定装置である。
【００１６】
請求項１２に記載の発明は、前記第２脳波測定手段は、前記耳掛け部に沿って設けられた複数の脳波センサを含む、ことを特徴とする請求項８から請求項１１何れかに記載の脳波測定装置である。
【００１７】
請求項１３に記載の発明は、前記スピーカ部を駆動するための電力を供給する電池を更に有し、前記送信手段は、前記電池の充電中、前記脳波測定結果の送信を停止する、ことを特徴とする請求項７から請求項１２何れかに記載の脳波測定装置である。
【００１８】
請求項１４に記載の発明は、前記送信手段は、電磁波防止部材が装着された場合、前記電池の充電中であっても、前記脳波測定結果を前記端末装置に送信する、ことを特徴とする請求項１３に記載の脳波測定装置である。
【００１９】
請求項１５に記載の発明は、前記送信手段は、無線通信によって前記脳波測定結果を前記端末装置に送信する、ことを特徴とする請求項１から請求項１４何れかに記載の脳波測定装置である。
【００２０】
請求項１６に記載の発明は、ユーザの一方の耳に装着されて前記ユーザの脳波を測定する第１脳波測定装置と、前記ユーザの他方の耳に装着されて前記ユーザの脳波を測定する第２脳波測定装置と、脳波測定結果を端末装置に送信する送信手段と、を含み、前記第１脳波測定装置は、前記一方の耳に接触する第１脳波測定手段と、前記第１脳波測定手段と繋がって前記一方の耳に接触する第２脳波測定手段と、を有し、前記第２脳波測定装置は、前記他方の耳に接触する第３脳波測定手段と、前記第３脳波測定手段と繋がって前記他方の耳に接触する第４脳波測定手段と、を有する、脳波測定システムである。
【００２１】
請求項１７に記載の発明は、前記第１脳波測定装置又は前記第２脳波測定装置のいずれか一方の装置に障害が発生した場合、前記送信手段は、障害が発生していない他方の装置の脳波測定結果を前記端末装置に送信する、ことを特徴とする請求項１６に記載の脳波測定システムである。
【００２２】
請求項１８に記載の発明は、前記第１脳波測定装置と前記第２脳波測定装置とを接続するケーブルを更に有し、前記ケーブルを介して、前記第１脳波測定装置と前記第２脳波測定装置との間で情報の送受信が行われる、ことを特徴とする請求項１６又は請求項１７に記載の脳波測定システムである。
【００２３】
請求項１９に記載の発明は、前記第１脳波測定装置は電池を更に有し、前記第１脳波測定装置は前記電池から供給された電力によって駆動し、前記第２脳波測定装置は、前記ケーブルを介して前記第１脳波測定装置の前記電池から前記第２脳波測定装置に供給された電力によって駆動する、ことを特徴とする請求項１８に記載の脳波測定システムである。
【００２４】
請求項２０に記載の発明は、前記送信手段は、前記電池の充電中、前記第２脳波測定装置による脳波測定結果を前記端末装置に送信する、ことを特徴とする請求項１９に記載の脳波測定システムである。
【００２５】
請求項２１に記載の発明は、前記第１脳波測定装置は、前記一方の耳に挿入され、前記電池から供給された電力によって駆動する第１スピーカ部と、前記第１スピーカ部を支持する第１支持部材と、前記第１支持部材と繋がって前記一方の耳に掛けられる第１耳掛け部と、を更に有し、前記第１脳波測定手段は、前記第１スピーカ部の外周に設けられており、前記第２脳波測定手段は、前記第１耳掛け部に設けられており、前記第２脳波測定装置は、前記他方の耳に挿入され、前記ケーブルを介して前記電池から供給された電力によって駆動する第２スピーカ部と、前記第２スピーカ部を支持する第２支持部材と、前記第２支持部材と繋がって前記他方の耳に掛けられる第２耳掛け部と、を更に有し、前記第３脳波測定手段は、前記第２スピーカ部の外周に設けられており、前記第４脳波測定手段は、前記第２耳掛け部に設けられている、ことを特徴とする請求項１９又は請求項２０に記載の脳波測定システムである。
【００２６】
請求項２２に記載の発明は、前記送信手段は、前記第１脳波測定装置に設けられた第１送信手段と、前記第２脳波測定装置に設けられた第２送信手段と、を有し、前記ケーブルに障害が発生した場合、前記第１送信手段は、前記第１脳波測定装置の脳波測定結果を前記端末装置に送信し、前記第２送信手段は、前記第２脳波測定装置の脳波測定結果を前記端末装置に送信する、ことを特徴とする請求項１８から請求項２１何れかに記載の脳波測定システムである。
【００２７】
請求項２３に記載の発明は、前記送信手段による送信を制御する送信制御手段を更に有し、前記送信手段は、前記第１脳波測定装置に設けられた第１送信手段と、前記第２脳波測定装置に設けられた第２送信手段と、を有し、前記第１送信手段又は前記第２送信手段のいずれか一方の送信手段に障害が発生した場合、前記送信制御手段は、障害が発生していない他方の送信手段に脳波測定結果を前記端末装置に送信させる、ことを特徴とする請求項１６から請求項２１何れかに記載の脳波測定システムである。
【００２８】
請求項２４に記載の発明は、前記第１脳波測定手段、前記第２脳波測定手段、前記第３脳波測定手段、及び、前記第４脳波測定手段を含む脳波測定手段群の中の少なくとも２つの脳波測定手段を用いて脳波が測定される、ことを特徴とする請求項１６に記載の脳波測定システムである。
【００２９】
請求項２５に記載の発明は、脳波の測定状況に応じて、前記脳波測定手段群の中の少なくとも２つの脳波測定手段を用いた第１測定モード、又は、少なくとも３つの脳波測定手段を用いた第２測定モードのいずれかが選択されて脳波が測定される、ことを特徴とする請求項２４に記載の脳波測定システムである。
【００３０】
請求項２６に記載の発明は、脳波の測定状況に応じて、前記脳波測定手段群の中の少なくとも２つの脳波測定手段を用いた第１測定モード、又は、少なくとも３つの脳波測定手段を用いた第２測定モードのいずれかが選択されてユーザに提示される、ことを特徴とする請求項２４に記載の脳波測定システムである。
【００３１】
請求項２７に記載の発明は、脳波測定手段によって検知されたノイズの量が予め定められた閾値未満の場合、前記第１測定モードが選択され、ノイズの量が前記閾値以上の場合、前記第２測定モードが選択される、ことを特徴とする請求項２５又は請求項２６に記載の脳波測定システムである。
【００３２】
請求項２８に記載の発明は、前記第１脳波測定装置と前記第２脳波測定装置に電力を供給する電池を更に有し、前記電池の残容量に応じて、前記脳波測定手段群の中の少なくとも２つの脳波測定手段を用いた第１測定モード、又は、少なくとも３つの脳波測定手段を用いた第２測定モードのいずれかが選択されて脳波が測定される、ことを特徴とする請求項２４に記載の脳波測定システムである。
【００３３】
請求項２９に記載の発明は、前記第１脳波測定装置と前記第２脳波測定装置に電力を供給する電池を更に有し、前記電池の残容量に応じて、前記脳波測定手段群の中の少なくとも２つの脳波測定手段を用いた第１測定モード、又は、少なくとも３つの脳波測定手段を用いた第２測定モードのいずれかが選択されてユーザに提示される、ことを特徴とする請求項２４に記載の脳波測定システムである。
【００３４】
請求項３０に記載の発明は、前記残容量が予め定められた閾値未満の場合、前記第１測定モードが選択され、前記残容量が前記閾値以上の場合、前記第２測定モードが選択される、ことを特徴とする請求項２８又は請求項２９に記載の脳波測定システムである。
【００３５】
請求項３１に記載の発明は、前記第１測定モードでは、前記脳波測定手段群の中から選択された１つの脳波測定手段が脳波検知用電極として用いられ、１つの脳波測定手段が基準用電極として用いられ、前記脳波検知用電極及び前記基準用電極の検知結果に基づいて脳波が測定され、前記第２検知モードでは、前記脳波測定手段群の中から選択された１つの脳波測定手段が前記脳波検知用電極として用いられ、１つの脳波測定手段が参照用電極として用いられ、１つの脳波測定手段が前記基準用電極として用いられ、前記脳波検知用電極、前記参照用電極及び前記基準用電極の検知結果に基づいて脳波が測定される、ことを特徴とする請求項２５から請求項３０何れかに記載の脳波測定システムである。
【００３６】
請求項３２に記載の発明は、前記脳波測定手段群に含まれる各脳波測定手段と生体との接触状態に応じて、脳波の測定に用いられる脳波測定手段が変更される、ことを特徴とする請求項２４に記載の脳波測定システムである。
【００３７】
請求項３３に記載の発明は、前記接触状態は、圧力センサ及び湿度センサの中の少なくとも１つを用いて検知される、ことを特徴とする請求項３２に記載の脳波測定システムである。
【００３８】
請求項３４に記載の発明は、前記脳波測定手段群を表示手段に表示させ、前記脳波測定手段群の中からユーザによって選択された脳波測定手段による測定結果に対する評価を表示手段に表示させる制御手段を更に有する、ことを特徴とする請求項２４に記載の脳波測定システムである。
【００３９】
請求項３５に記載の発明は、前記評価は、測定結果についての順位である、ことを特徴とする請求項３４に記載の脳波測定システムである。
【００４０】
請求項３６に記載の発明は、前記脳波測定手段群に含まれる各脳波測定手段による測定結果に対する評価に基づいて、前記脳波測定手段群の中から脳波測定に用いられる複数の脳波測定手段をユーザに提示する提示手段を更に有する、ことを特徴とする請求項２４に記載の脳波測定システムである。
【００４１】
請求項３７に記載の発明は、ユーザの耳に接触して設けられる複数の電極と、前記複数の電極の中の少なくとも２つの電極を用いて前記ユーザの脳波を測定する制御手段と、を有する脳波測定装置である。
【００４２】
請求項３８に記載の発明は、前記制御手段は、前記複数の電極の中の少なくとも３つの電極を用いて脳波を測定する、ことを特徴とする請求項３７に記載の脳波測定装置である。
【００４３】
請求項３９に記載の発明は、前記制御手段は、脳波測定に用いられる電極を切り替えることで、前記少なくとも３つの電極を用いて脳波を測定する、ことを特徴とする請求項３８に記載の脳波測定装置である。
【００４４】
請求項４０に記載の発明は、前記制御手段は、脳波の測定状況に応じて、脳波測定に用いられる電極を切り替える、ことを特徴とする請求項３９に記載の脳波測定装置である。
【００４５】
請求項４１に記載の発明は、前記少なくとも３つの電極は、脳波検知用電極として用いられる第１電極、参照用電極として用いられる第２電極、及び、基準用電極として用いられる第３電極を含み、前記制御手段は、前記第１電極、前記第２電極、及び、前記第３電極の検知結果に基づいて脳波を測定する、ことを特徴とする請求項３８から請求項４０何れかに記載の脳波測定装置である。
【００４６】
請求項４２に記載の発明は、前記制御手段は、前記第１電極、前記第２電極及び前記第３電極の中の少なくとも１つの電極を切り替えて脳波を測定する、ことを特徴とする請求項４１に記載の脳波測定装置である。
【００４７】
請求項４３に記載の発明は、前記複数の電極は、前記ユーザの片方の耳又は両方の耳に設けられる、ことを特徴とする請求項３７から請求項４２何れかに記載の脳波測定装置である。
【００４８】
請求項４４に記載の発明は、前記複数の電極は、前記耳に挿入される電極を含む、ことを特徴とする請求項３７から請求項４３何れかに記載の脳波測定装置である。
【００４９】
請求項４５に記載の発明は、前記複数の電極は、前記耳に掛けられる耳掛け部に設けられた電極を更に含み、前記耳に挿入される電極と前記耳掛け部に設けられた電極とによって前記耳を挟んだ状態で脳波が測定される、ことを特徴とする請求項４４に記載の脳波測定装置である。
【発明の効果】
【００５０】
請求項１，１６，１８に記載の発明によれば、簡易に脳波を測定することが可能となる。
【００５１】
請求項２−１１，２１，４４，４５に記載の発明によれば、耳に対する密着度を高めて、脳波の測定精度を高めることが可能となる。
【００５２】
請求項１２に記載の発明によれば、１つの脳波センサを用いる場合と比べて、脳波の測定精度を高めることが可能となる。
【００５３】
請求項１３に記載の発明によれば、充電に起因するノイズの影響を受けた脳波測定結果を端末装置に送信することを防止できる。
【００５４】
請求項１４に記載の発明によれば、充電に起因するノイズの影響を軽減又は防止できる。
【００５５】
請求項１５に記載の発明によれば、有線通信用のケーブルを用いずに済む。
【００５６】
請求項１７に記載の発明によれば、一方の脳波測定装置に障害が発生した場合であっても、脳波の測定を継続できる。
【００５７】
請求項１９に記載の発明によれば、一方の脳波測定装置は電池を備えていなくても駆動できる。
【００５８】
請求項２０に記載の発明によれば、充電中であっても脳波の測定を継続できる。
【００５９】
請求項２２に記載の発明によれば、ケーブルに障害が発生した場合であっても、脳波測定結果を端末装置に送信できる。
【００６０】
請求項２３に記載の発明によれば、一方の送信手段に障害が発生した場合であっても、脳波測定結果を端末装置に送信できる。
【００６１】
請求項２４，３１に記載の発明によれば、１つの脳波測定手段を用いる場合と比べて、脳波測定の精度が向上する。
【００６２】
請求項２５に記載の発明によれば、脳波の測定状況に応じた測定モードによって脳波が測定される。
【００６３】
請求項２６に記載の発明によれば、脳波の測定状況に応じた情報がユーザに提示される。
【００６４】
請求項２７に記載の発明によれば、ノイズ量が閾値未満の場合に、電力消費量がより少ない測定モードが選択され、ノイズ量が閾値以上の場合に、より測定精度の高い測定モードが選択される。
【００６５】
請求項２８に記載の発明によれば、電池の残容量に応じた測定モードで脳波が測定される。
【００６６】
請求項２９に記載の発明によれば、電池の残容量に応じた情報がユーザに提示される。
【００６７】
請求項３０に記載の発明によれば、電池の残容量が閾値未満の場合に、電力消費量がより少ない測定モードが選択され、ノイズ量が閾値以上の場合に、より測定精度の高い測定モードが選択される。
【００６８】
請求項３２，３３に記載の発明によれば、生体との接触状態に応じた脳波測定手段が用いられる。
【００６９】
請求項３４，３５に記載の発明によれば、測定結果に対する評価がユーザに提示される。
【００７０】
請求項３６に記載の発明によれば、脳波測定に用いられる脳波測定手段がユーザに提示される。
【００７１】
請求項３７，３８，３９，４３に記載の発明によれば、１つの電極を用いる場合と比べて、脳波測定の精度が向上する。
【００７２】
請求項４０，４１，４２に記載の発明によれば、脳波測定に適した電極を用いて脳波を測定することができる。
【図面の簡単な説明】
【００７３】
【図１】本実施形態に係る情報処理システムを示すブロック図である。
【図２】イヤフォン装置の全体構成を示す斜視図である。
【図３】イヤフォン装置の一部の構成を示す斜視図である。
【図４】左側イヤフォン部を示す斜視図である。
【図５】左側イヤフォン部を示す平面図である。
【図６】イヤーパットを側面から見た図である。
【図７】イヤーパットを上方から見た図である。
【図８】イヤーパットを側面から見た図である。
【図９】イヤーパットを側面から見た図である。
【図１０】イヤーパットを側面から見た図である。
【図１１】イヤーパットを上方から見た図である。
【図１２】イヤーパットを側面から見た図である。
【図１３】イヤーパットを側面から見た図である。
【図１４】イヤフォン装置の一部の構成を示す斜視図である。
【図１５】イヤフォン装置の一部の構成を示す斜視図である。
【図１６】イヤフォン装置の一部の構成を示す斜視図である。
【図１７】イヤフォン装置の一部の構成を示す斜視図である。
【図１８】イヤフォン装置の機能ブロック図である。
【図１９】端末装置の機能ブロック図である。
【図２０】脳波表示画面を示す図である。
【図２１】音楽再生画面を示す図である。
【図２２】音楽再生画面を示す図である。
【図２３】プレイリスト画面を示す図である。
【図２４】プレイリスト画面を示す図である。
【図２５】条件入力画面を示す図である。
【図２６】音楽再生画面を示す図である。
【図２７】リスト選択画面を示す図である。
【図２８】脳波表示画面を示す図である。
【図２９】脳波表示画面を示す図である。
【図３０】脳波測定結果を示す図である。
【図３１】音楽表示画面を示す図である。
【図３２】プレイリスト画面を示す図である。
【図３３】イヤフォン装置の全体構成を示す斜視図である。
【図３４】電位の波形を示す図である。
【図３５】電位の波形を示す図である。
【図３６】電位の波形を示す図である。
【図３７】電位の波形を示す図である。
【図３８】キャリブレーション時の画面を示す図である。
【図３９】キャリブレーション時の画面を示す図である。
【図４０】キャリブレーション時の画面を示す図である。
【図４１】キャリブレーション時の画面を示す図である。
【図４２】電極設定用の画面を示す図である。
【図４３】電極設定用の画面を示す図である。
【図４４】確認画面を示す図である。
【図４５】設定完了画面を示す図である。
【図４６】警告画面を示す図である。
【図４７】警告画面を示す図である。
【図４８】問い合わせのための画面を示す図である。
【図４９】確認画面を示す図である。
【図５０】確認画面を示す図である。
【図５１】別の実施形態に係る情報処理システムを示すブロック図である。
【発明を実施するための形態】
【００７４】
以下、本発明の実施形態に係る脳波測定装置について説明する。本実施形態に係る脳波測定装置は、人の耳に装着された状態で電位を測定することで脳波を測定する装置である。本実施形態に係る脳波測定装置は、いわゆるヒアラブルデバイスであってもよい。本実施形態に係る脳波測定装置は、人の一方の耳に装着されて脳波を測定してもよいし、両耳に装着されて脳波を測定してもよい。例えば、左耳に本実施形態に係る第１脳波測定装置が装着され、右耳に本実施形態に係る第２脳波測定装置が装着され、第１脳波測定装置と第２脳波測定装置とによって脳波測定システムが構成され、その脳波測定システムによって脳波が測定されてもよい。別の例として、左耳又は右耳のいずれか一方に本実施形態に係る脳波測定装置が装着され、その脳波測定装置によって脳波が測定されてもよい。
【００７５】
本実施形態に係る脳波測定装置は、複数の脳波測定手段を含む。脳波測定手段は、電位を検知する電極である。複数の電極はユーザの耳に接触して設けられ、当該複数の電極の中の少なくとも２つの電極を用いてユーザの脳波が測定される。ユーザの片耳に設けられた複数の電極の中から選択された少なくとも２つの電極を用いてユーザの脳波が測定されてもよいし、両耳に設けられた複数の電極の中から選択された少なくとも２つの電極を用いて脳波が測定されてもよい。また、複数の電極の中から少なくとも３つの電極を用いてユーザの脳波が測定されてもよい。より多くの電極を用いることで、脳波の測定精度が向上し得る。また、複数の電極において、脳波測定に用いられる電極を切り替えることで、少なくとも３つの電極を用いて脳波が測定されてもよい。例えば、電位の検出感度やノイズ等の測定状況に応じて、脳波測定に用いられる電極が切り替えられる。例えば、少なくとも３つの電極は、脳波検知用電極（センサ電極）として用いられる第１電極、レファレンス電極（参照用電極）として用いられる第２電極、及び、グランド電極として用いられる第３電極を含み、第１電極、第２電極及び第３電極を用いて脳波が測定されてもよい。第１電極、第２電極及び第３電極の中の少なくとも１つの電極が切り替えられてもよい。
【００７６】
例えば、本実施形態に係る脳波測定装置は、耳の穴（外耳道）に挿入されて外耳道内の生体表面に接触して電位を検知する第１脳波測定手段を含む。第１脳波測定手段は、電位を検知する電極である。電極は、例えば、ゴム等の弾性部材の表面に設けられる。その弾性部材が外耳道に挿入されて電位を測定する。外耳道内に挿入された弾性部材が外耳道内にて変形することで、生体表面との密着度が向上し、電位の測定精度が向上する。弾性部材自体が導電性の部材であってもよい。例えば、導電性ゴムが第１脳波検知手段として用いられてもよい。
【００７７】
また、本実施形態に係る脳波測定装置は、更に、人体において外耳道以外の部分（例えば、耳介、耳介の裏側の部分、耳たぶ等）に設けられ、その部分の生体表面に接触して電位を検知する第２脳波測定手段（電極）を含む。第１脳波測定手段と第２脳波測定手段は、互いに繋げられた一体化構造を有し、脳波測定装置が耳に装着されたときに、第１脳波測定手段と第２脳波測定手段とによって当該耳を挟む構造を有する。第１脳波測定手段と第２脳波測定手段とによって耳を挟んだ状態で、第１脳波測定手段が当該耳の外耳道に挿入されて生体表面に接触し、第２脳波測定手段が当該耳の耳介、その裏側部分又は耳たぶ等に接触して生体表面に接触する。このような構造を有する脳波測定装置によれば、耳を挟んだ状態で脳波を測定することができるため、外耳道に挿入される１つの電極のみを用いて脳波を測定する場合と比べて、脳波測定装置の設置位置がずれ難い。つまり、外耳道に挿入される１つの電極のみを用いた場合、その電極の支えがないため、人の動きに起因してその電極が外耳道から外れ易いが、本実施形態では、一体化された第１，第２脳波測定手段によって耳を挟み込んでいるため、脳波測定装置の位置がずれ難く、また、耳から外れ難い。複数の電極を用いる構成例として、１つの電極を例えば人の額に設置し、他の電極を外耳道に挿入することが考えられるが、そのような装置は、本実施形態のように生体部位を挟み込む構造を有しているわけではないため、人の動きに起因して、それぞれの電極が生体から外れ易い。これに対して本実施形態では、耳を挟み込む構造を有しているため、各電極を個別的に設置する場合と比べて、耳から外れ難いという効果が得られる。
【００７８】
また、本実施形態に係る脳波測定装置は、少なくとも２つの電極（第１脳波測定手段と第２脳波測定手段）によって脳波を測定するので、外耳道に挿入される１つの電極のみを用いて脳波を測定する場合と比べて、その測定精度が向上する。つまり、１つの電極のみを用いた場合、例えばレファレンス情報の測定や接地を行うことができないが、本実施形態のように複数の電極を用いることで、レファレンス情報の測定や接地が可能となるので、その測定精度が向上する。
【００７９】
脳波測定装置は、例えば、イヤフォン、補聴器、眼鏡、ピアス、クリップ状の部材等のように耳に装着される部材、機器、装置等に設けられてもよいし、そのような部材、機器、装置等と兼用の装置であってもよい。もちろん、脳波測定装置は、脳波測定機能以外の機能を有していない部材（例えば弾性部材）によって構成されてもよい。例えば、外耳道に挿入されるイヤフォンに電極が設けられて外耳道内にて電位が測定され、そのイヤフォンを保持するとともに耳介に掛けられる耳掛け部に電極が設けられて耳介の裏側の部分にて電位が測定され、それらの電位の測定結果によって脳波が測定されてもよい。また、眼鏡のフレームに電極が設けられて耳介の裏側の部分にて電位が測定され、その電位の測定結果によって脳波が測定されてもよい。このとき、外耳道内に電極部材が挿入されて外耳道内にて電位が測定され、その測定結果と、眼鏡フレームに設けられた電極による電位の測定結果とを用いて脳波が測定されてもよい。
【００８０】
以上のように、本実施形態に係る脳波測定装置は、耳に装着された状態で脳波を測定する装置である。それ故、頭部（頭皮や額）に複数の電極を設置して脳波を測定する従来の脳波測定装置を比べて、実生活における支障が少ない。つまり、頭皮や額に複数の電極を設置して脳波を測定する従来の脳波測定装置は、人が動くことを想定して構成された装置ではないため、複数の電極を頭皮や額に設置した状態では人は動き難いし、人が動くのは現実的ではない。これに対して、本実施形態に係る脳波測定装置はいわゆるヒアラブルデバイスに相当するので、本実施形態に係る脳波測定装置を装着した状態であっても人は動き易い。すなわち、複数の電極を頭皮や額に設置した状態で体を動かすこと（例えば歩く、走る、仕事等の作業を行う等）は現実的ではないし、実際には困難である。これに対して、本実施形態に係る脳波測定装置を耳に装着した状態であっても体を動かすことは容易である。そのため、上記の従来の脳波測定装置を比べて、長時間にわたって本実施形態に係る脳波測定装置を装着することも可能である。本実施形態の適用例として、例えば、オフィスワーカーが本実施形態に係る脳波測定装置を装着してもよい。こうすることで、仕事中の脳波が測定される。もちろん、仕事以外の場面に本実施形態に係る脳波測定装置が適用されてもよい。例えば、散歩中やジョギング中の脳波が測定されてもよいし、睡眠中の脳波が測定されてもよいし、コンテンツ（例えば、動画、静止画（写真）、映画、ドラマ、テレビ番組、音楽、絵画、講演等）の提供を受けているときの脳波が測定されてもよい。
【００８１】
以下では、一例として、本実施形態に係る脳波測定装置がイヤフォンに適用された場合について説明する。もちろん、上述したように、本実施形態の適用例はイヤフォンに限られない。
【００８２】
図１を参照して、本発明の実施形態に係る情報処理システムについて説明する。図１には、本実施形態に係る情報処理システムの一例が示されている。
【００８３】
本実施形態に係る情報処理システムは、一例として、イヤフォン装置１０と端末装置１２と音楽配信サーバ１４とを含む。
【００８４】
イヤフォン装置１０は、例えばカナル型のイヤフォンであり、耳の穴（外耳道）に差し込んで使用する形式のヘッドフォン（再生装置から出力された電気信号を、スピーカを用いて音波に変換する装置）である。また、イヤフォン装置１０は、脳波測定システムとしても機能する。具体的には、イヤフォン装置１０は、ユーザの頭部の電位を測定し、その測定結果を示す情報（例えば電位を表わす信号）を脳波測定結果を示す情報として出力する。
【００８５】
イヤフォン装置１０は、無線通信機能を備えている。通信方式は、例えば、近距離無線通信（例えばBluetooth（ブルートゥース）（登録商標）、ＲＦＩＤ（Radio Frequency Identifier）等）、赤外線通信、可視光通信、Ｗｉ−Ｆｉ（登録商標）通信、等である。イヤフォン装置１０は、例えば、端末装置１２から音を表わす信号（音声信号等の音信号）を無線通信によって受信し、その信号に従って音を発生させる。また、イヤフォン装置１０は、脳波測定結果を示す情報を無線通信によって端末装置１２に送信する。もちろん、イヤフォン装置１０は、ケーブルを用いた有線通信機能を備えていてもよい。この場合、イヤフォン装置１０は、有線通信によって音信号を受けて音を発生させ、脳波測定結果を示す情報を有線通信によって外部装置に送信してもよい。
【００８６】
端末装置１２は、例えば、スマートフォンや携帯電話やタブレットＰＣ（パーソナルコンピュータ）等のモバイル端末、ＰＣ、音楽プレイヤー、動画再生装置、等であり、情報処理装置の一例に相当する。端末装置１２は、無線通信機能を備えている。端末装置１２は、再生装置（音楽再生装置や動画再生装置）として機能する。例えば、端末装置１２は、音楽を再生し、その音信号を無線通信によってイヤフォン装置１０に送信する。端末装置１２は、動画を再生し、その音信号を無線通信によってイヤフォン装置１０に送信してもよい。また、端末装置１２は、脳波測定結果を示す情報を無線通信によってイヤフォン装置１０から受信し、脳波測定結果を解析することでユーザの脳波状態を評価する。イヤフォン装置１０にて脳波測定結果が解析されて、その解析結果を示す情報がイヤフォン装置１０から端末装置１２に送信されてもよいし、イヤフォン装置１０及び端末装置１２以外の装置にて脳波測定結果が解析されて、その解析結果を示す情報が端末装置１２に送信されてもよい。端末装置１２は、ケーブルを用いた有線通信によって音信号をイヤフォン装置１０に送信し、脳波測定結果を示す情報をイヤフォン装置１０から受信してもよい。また、端末装置１２は、ネットワーク等の通信経路Ｎを介して他の装置と通信する機能を備えている。その通信方式は、Ｗｉ−Ｆｉ通信等の無線通信であってもよいし、有線通信であってもよい。端末装置１２は、例えばインターネットに接続することで、情報を取得することができる。
【００８７】
音楽配信サーバ１４は、通信経路Ｎを介して他の装置と通信する機能を有し、通信経路Ｎを介して音楽配信サービスを提供する装置である。音楽配信サーバ１４は、例えば、インターネット経由で音楽データを配信する。音楽配信サーバ１４は、ダウンロード形式で音楽データをユーザに提供してもよいし、ストリーミング配信によって音楽データをユーザに提供してもよい。音楽データは、例えば有料で提供される。曲毎やアルバム毎に課金されてもよいし、定額料金制（例えば、月毎のように予め定められた期間毎に一定の料金が課金され、その期間中、サービスを無制限又はある制限の下で利用可能な料金体系）が採用されてもよい。もちろん、無料で提供される音楽データが存在してもよい。また、ダウンロードの回数制限や期間制限、ストリーミング配信の期間制限、等が設定されてもよい。音楽配信サービス用のアプリケーション（プログラム）がインストールされた装置にて音楽配信サービスの利用が可能となってもよい。音楽配信サーバ１４は、試聴用の音楽データを提供してもよい。
【００８８】
なお、動画配信サービスを提供する装置（例えば動画配信サーバ）が、情報処理システムに含まれてもよい。音楽配信サーバ１４が動画配信サーバを兼ねて動画配信サービスを提供してもよいし、音楽配信サーバ１４とは別の動画配信サーバが動画配信サービスを提供してもよい。動画配信サーバは、例えば、ダウンロード形式で動画データをユーザに提供してもよいし、ストリーミング配信によって動画データをユーザに提供してもよい。動画データは、例えば有料で提供される。動画毎に料金が設定されてもよいし、定額料金制が採用されてもよい。もちろん、無料で提供される動画データが存在してもよい。また、ダウンロードの回数制限や期間制限、ストリーミング配信の期間制限、等が設定されてもよい。動画配信サービス用のアプリケーションがインストールされた装置にて動画配信サービスの利用が可能となってもよい。動画配信サーバは、試聴用の動画データを提供してもよい。
【００８９】
もちろん、音楽と動画の両方を配信する装置が、情報処理システムに含まれていてもよい。
【００９０】
本実施形態では、イヤフォン装置１０によってユーザの脳波が測定され、その測定結果を示す情報が端末装置１２に送信される。端末装置１２では、その測定結果が解析されてユーザの脳波状態が評価される。また、端末装置１２からイヤフォン装置１０に音信号が送信され、イヤフォン装置１０によって音が発生させられる。例えば、端末装置１２にて音楽が再生され、その音楽に対応する音がイヤフォン装置１０から発せられる。これにより、音楽を聴いているときのユーザの脳波がイヤフォン装置１０によって測定され、その脳波状態が端末装置１２によって解析される。その脳波測定結果に応じて、音楽の再生が制御されてもよい。例えば、脳波状態に応じて、再生される音楽が変更されてもよい。音楽データは、音楽配信サーバ１４から端末装置１２に提供されたデータであってもよいし、音楽配信サーバ１４から配信されずに端末装置１２に記憶されているデータであってもよい。
【００９１】
なお、イヤフォン装置１０は、端末装置１２と共に用いられずに、別の音楽再生装置や動画再生装置に接続されて用いられてもよいし、音を発生させずに単体の脳波測定装置として用いられてもよい（つまり、音楽や動画を再生せずに、イヤフォン装置１０を脳波測定装置として用いてもよい）。また、端末装置１２は、イヤフォン装置１０と共に用いられずに、単体の脳波解析装置として用いられてもよいし、イヤフォン装置１０以外のイヤフォンが接続されてもよいし、イヤフォン装置１０以外の脳波測定装置によって測定された脳波に基づいて、音楽や動画の再生を制御してもよい。
【００９２】
以下、図２から図４を参照して、イヤフォン装置１０について詳しく説明する。図２は、イヤフォン装置１０の全体構成を示す斜視図である。図３は、イヤフォン装置１０の一部の構成を示す斜視図であり、図２とは別の方向からイヤフォン装置１０を見たときの図である。図４は、左側イヤフォン部の構成を示す斜視図である。
【００９３】
ここで、説明の便宜上、図２に示すように、前方及び後方を定義する。前方は、ユーザの顔が向く方向であり、後方は、その前方とは逆の方向である。
【００９４】
図２及び図３に示すように、イヤフォン装置１０は、大別して、ユーザの左耳に装着される左側イヤフォン部１６Ｌと、ユーザの右耳に装着される右側イヤフォン部１６Ｒと、左側イヤフォン部１６Ｌと右側イヤフォン部１６Ｒとを接続するケーブル１８と、を含む。なお、左側イヤフォン部１６Ｌが第１脳波測定装置の一例に相当し、右側イヤフォン部１６Ｒが第２脳波測定装置の一例に相当する。
【００９５】
左側イヤフォン部１６Ｌは、ユーザの左耳の穴（外耳道）に挿入される左側スピーカ部２０Ｌと、左側スピーカ部２０Ｌを支持する左側支持部２２Ｌ（左側ベース部）と、一方端部が左側支持部２２Ｌと繋がっている左側耳掛け部２４Ｌと、を含む。
【００９６】
左側スピーカ部２０Ｌは、音を発生させるドライバーユニット、音導管、イコライザー、筐体（フレームや筐体等）、及び、耳に挿入される部分を覆うイヤーパット（イヤーピース）等によって構成されている。なお、左側スピーカ部２０Ｌとして、公知のカナル型イヤフォンのスピーカ部を用いることができる。左側スピーカ部２０Ｌのイヤーパットは、例えばゴム等の樹脂によって構成されている。
【００９７】
左側スピーカ部２０Ｌの側面には、第１左脳波センサ２６Ｌが設けられている。より詳しく説明すると、第１左脳波センサ２６Ｌは、左側スピーカ部２０Ｌを構成するイヤーパットの側面に設けられている。第１左脳波センサ２６Ｌは、後述する第２左脳波センサ２８Ｌと共に頭部の電位を検知する電極である。第１左脳波センサ２６Ｌは、例えばカーボン製の導電性ゴムによって構成されている。なお、第１左脳波センサ２６Ｌが第１脳波測定手段の一例に相当する。
【００９８】
左側支持部２２Ｌは、一例として薄型の直方体状の形状を有しており、左側支持部２２Ｌにおいて、ユーザがイヤフォン装置１０を装着したときにユーザの左耳に対向する面に、左側スピーカ部２０Ｌが設置されている。左側支持部２２Ｌは、例えばケースであり、内部に電子基板等の部品を収容する。
【００９９】
左側耳掛け部２４Ｌは、全体として湾曲した形状を有し、ユーザがイヤフォン装置１０を装着したときにユーザの左耳に掛けられる部材である。左側耳掛け部２４Ｌの一方端部は、左側支持部２２Ｌの前方側部分に接続されており、左側耳掛け部２４Ｌは、その接続部分から左側支持部２２Ｌの後方側にかけて湾曲した形状を有しており、その部分が湾曲部を形成する。その湾曲部が、左耳の上側から左耳に掛けられる。左側耳掛け部２４Ｌの他方端部は、ケーブル１８の一方端部と繋がっている。
【０１００】
左側耳掛け部２４Ｌには、左側耳掛け部２４Ｌに沿って第２左脳波センサ２８Ｌが設けられている。第２左脳波センサ２８Ｌは、例えば、左側耳掛け部２４Ｌが左耳に掛けられたときに、左耳、より具体的には左耳の裏側（頭蓋骨により近い位置）に接触するように、左側耳掛け部２４Ｌにおいてユーザの左耳に対向する面に設けられている。左耳の裏側に接触するように第２左脳波センサ２８Ｌを設けることで、脳により近い位置で電位を検知して、脳波測定の精度を高めることができる。第２左脳波センサ２８Ｌは、上記の第１左脳波センサ２６Ｌと共に頭部の電位を検知する電極である。第２左脳波センサ２８Ｌは、例えばカーボン製の導電性ゴムによって構成されている。例えば、第２左脳波センサ２８Ｌが検知する電位が基準電位として用いられ、第１左脳波センサ２６Ｌは、その基準電位からの電位（電位差）を測定する。なお、第２左脳波センサ２８Ｌが第２脳波測定手段の一例に相当する。
【０１０１】
左側耳掛け部２４Ｌが左耳に掛けられ、左側スピーカ部２０Ｌが左耳の穴に挿入されると、左側スピーカ部２０Ｌに設けられた第１左脳波センサ２６Ｌと、左側耳掛け部２４Ｌに設けられた第２左脳波センサ２８Ｌと、によって左耳が挟まれた状態となり、この状態で、第１左脳波センサ２６Ｌと第２左脳波センサ２８Ｌとによって脳波が測定される。
【０１０２】
上記のように、第１左脳波センサ２６Ｌと第２左脳波センサ２８Ｌとによって左耳を挟むことで、脳波センサを左耳に密着させることができ、その結果、脳波測定精度を向上させることができる。また、第１左脳波センサ２６Ｌは左耳の穴に挿入されるので、第１左脳波センサ２６Ｌと左耳との密着度が高くなる。
【０１０３】
右側イヤフォン部１６Ｒは、ユーザの右耳の穴（外耳道）に挿入される右側スピーカ部２０Ｒと、右側スピーカ部２０Ｒを支持する右側支持部２２Ｒ（右側ベース部）と、一方端部が右側支持部２２Ｒと繋がっている右側耳掛け部２４Ｒと、を含む。
【０１０４】
右側スピーカ部２０Ｒは、左側スピーカ部２０Ｌと同様に、ドライバーユニット、音導管、イコライザー、筐体、及び、イヤーパット等によって構成されている。なお、右側スピーカ部２０Ｒとして、公知のカナル型のイヤフォンのスピーカ部を用いることができる。右側スピーカ部２０Ｒのイヤーパットは、例えばゴム等の樹脂によって構成されている。
【０１０５】
右側スピーカ部２０Ｒの側面には、第１右脳波センサ２６Ｒが設けられている。より詳しく説明すると、第１右脳波センサ２６Ｒは、右側スピーカ部２０Ｒを構成するイヤーパットの側面に設けられている。第１右脳波センサ２６Ｒは、後述する第２右脳波センサ２８Ｒと共に頭部の電位を検知する電極である。第１右脳波センサ２６Ｒは、例えばカーボン製の導電性ゴムによって構成されている。なお、第１右脳波センサ２６Ｒが第３脳波測定手段の一例に相当する。
【０１０６】
右側支持部２２Ｒは、一例として薄側の直方体状の形状を有しており、右側支持部２２Ｒにおいて、ユーザがイヤフォン装置１０を装着したときにユーザの右耳に対向する面に、右側スピーカ部２０Ｒが設置されている。右側支持部２２Ｒは、例えばケースであり、内部に電子基板等の部品を収容する。
【０１０７】
右側耳掛け部２４Ｒは、全体として湾曲した形状を有し、ユーザがイヤフォン装置１０を装着したときにユーザの右耳に掛けられる部材である。右側耳掛け部２４Ｒの一方端部は、右側支持部２２Ｒの前方側部分に接続されており、右側耳掛け部２４Ｒは、その接続部分から右側支持部２２Ｒの後方側にかけて湾曲した形状を有しており、その部分が湾曲部を形成する。その湾曲部が、右耳の上側から右耳に掛けられる。右側耳掛け部２４Ｒの他方端部は、ケーブル１８の他方端部と繋がっている。
【０１０８】
右側耳掛け部２４Ｒには、右側耳掛け部２４Ｒに沿って第２右脳波センサ２８Ｒが設けられている。第２右脳波センサ２８Ｒは、例えば、右側耳掛け部２４Ｒが右耳に掛けられたときに、右耳、より具体的には右耳の裏側（頭蓋骨により近い位置）に接触するように、右側耳掛け部２４Ｒにおいてユーザの右耳に対向する面に設けられている。右耳の裏側に接触するように第２右脳波センサ２８Ｒを設けることで、脳により近い位置で電位を検知して、脳波測定の精度を高めることができる。第２右脳波センサ２８Ｒは、上記の第１右脳波センサ２６Ｒと共に頭部の電位を検知する電極である。第２右脳波センサ２８Ｒは、例えばカーボン製の導電性ゴムによって構成されている。例えば、第２右脳波センサ２８Ｒが検知する電位が基準電位として用いられ、第１右脳波センサ２６Ｒは、その基準電位からの電位（電位差）を測定する。なお、第２右脳波センサ２８Ｒが第４脳波測定手段の一例に相当する。
【０１０９】
右側耳掛け部２４Ｒが右耳に掛けられ、右側スピーカ部２０Ｒが右耳の穴に挿入されると、右側スピーカ部２０Ｒに設けられた第１右脳波センサ２６Ｒと、右側耳掛け部２４Ｒに設けられた第２右脳波センサ２８Ｒと、によって右耳が挟まれた状態となり、この状態で、第１右脳波センサ２６Ｒと第２右脳波センサ２８Ｒとによって脳波が測定される。
【０１１０】
上記のように、第１右脳波センサ２６Ｒと第２右脳波センサ２８Ｒとによって右耳を挟むことで、脳波センサを右耳に密着させることができ、その結果、脳波測定精度を向上させることができる。また、第１右脳波センサ２６Ｒは左耳の穴に挿入されるので、第１右脳波センサ２６Ｒと右耳との密着度が高くなる。
【０１１１】
イヤフォン装置１０は、無線通信機能（例えばブルートゥース）を備えており、端末装置１２との間で無線によって通信を行う。その無線通信機能を有する通信インターフェース（通信チップ）は、例えば、左右のイヤフォン部に内蔵されている。例えば、左側イヤフォン部１６Ｌの左側支持部２２Ｌ（ケース）内に、無線通信用の通信チップ（例えばブルートゥース用の通信チップ）が内蔵されており、同様に、右側イヤフォン部１６Ｒの右側支持部２２Ｒ（ケース）内に、無線通信用の通信チップが内蔵されている。左側イヤフォン部１６Ｌは、端末装置１２から送信された音信号（左耳用音信号）を、左側支持部２２Ｌに内蔵された通信チップによって受信し、その音信号に従って音を発生させる。右側イヤフォン部１６Ｒは、端末装置１２から送信された音信号（右耳用音信号）を、右側支持部２２Ｒに内蔵された通信チップによって受信し、その音信号に従って音を発生させる。
【０１１２】
また、左側イヤフォン部１６Ｌと右側イヤフォン部１６Ｒによって得られた脳波測定結果を示す情報は、無線通信（例えばブルートゥース）によって、イヤフォン装置１０から端末装置１２に送信される。
【０１１３】
左側イヤフォン部１６Ｌと右側イヤフォン部１６Ｒは、ケーブル１８によって物理的に接続されており、ケーブル１８を介して互いにデータを送受信する。
【０１１４】
左側イヤフォン部１６Ｌによる脳波測定結果を示す情報と右側イヤフォン部１６Ｒによる脳波測定結果を示す情報の両方が、別々に、イヤフォン装置１０から端末装置１２に送信されてもよいし、それらの情報が例えば統計処理等によってまとめられて端末装置１２に送信されてもよい。統計処理として、例えば、左側イヤフォン部１６Ｌによる脳波測定結果と右側イヤフォン部１６Ｒによる脳波測定結果との単純平均や重み付け平均等がイヤフォン装置１０にて行われ、その処理結果を示す情報が、左側イヤフォン部１６Ｌ又は右側イヤフォン部１６Ｒのいずれかに設置された通信チップによって、イヤフォン装置１０から端末装置１２に送信されてもよい。もちろん、そのような処理が施される前の情報がイヤフォン装置１０から端末装置１２に送信され、端末装置１２にてそのような処理が行われてもよい。
【０１１５】
例えば、ケーブル１８に故障が発生して、左側イヤフォン部１６Ｌと右側イヤフォン部１６Ｒとの間でデータの送受信ができなくなった場合、各イヤフォン部による脳波測定結果を示す情報が別々に端末装置１２に送信されてもよい。この場合、左側イヤフォン部１６Ｌによる脳波測定結果を示す情報が、左側イヤフォン部１６Ｌに設置されている通信チップによって、左側イヤフォン部１６Ｌから端末装置１２に送信される。同様に、右側イヤフォン部１６Ｒによる脳波測定結果を示す情報が、右側イヤフォン部１６Ｒに設置されている通信チップによって、右側イヤフォン部１６Ｒから端末装置１２に送信される。このように脳波測定結果を送信することで、ケーブル１８が故障した場合であっても、脳波測定を継続して脳波測定結果を端末装置１２に送信することができる。
【０１１６】
また、一方のイヤフォン部に設置された通信チップが故障した場合、故障していない通信チップを用いて、脳波測定結果を示す情報を端末装置１２に送信してもよい。この場合、左側イヤフォン部１６Ｌによる脳波測定結果を示す情報と、右側イヤフォン部１６Ｒによる脳波測定結果を示す情報と、を別々に端末装置１２に送信してもよいし、それら両方の情報に対して統計処理等の処理を適用することで生成された情報を、端末装置１２に送信してもよい。このように脳波測定結果を送信することで、一方の通信チップが故障した場合であっても、脳波測定を継続して脳波測定結果を端末装置１２に送信することができる。
【０１１７】
また、一方のイヤフォン部が故障した場合、故障していない他方のイヤフォン部による能測定結果を示す情報を端末装置１２に送信してもよい。このように脳波測定結果を送信することで、一方のイヤフォン部が故障した場合であっても、脳波測定を継続して脳波測定結果を端末装置１２に送信することができる。
【０１１８】
なお、ケーブル１８や通信チップの故障は、センサや導通の有無の確認等によって検知される。
【０１１９】
イヤフォン装置１０を駆動するための電力を供給する電池が、左側イヤフォン部１６Ｌ又は右側イヤフォン部１６Ｒのいずれかに設置されている。例えば、左側イヤフォン部１６Ｌの左側支持部２２Ｌ（ケース）に電池が内蔵されており、右側イヤフォン部１６Ｒに電池は内蔵されていない。この場合、左側イヤフォン部１６Ｌの各部（例えば、左側スピーカ部２０Ｌ内のドライバーユニット、通信チップ、脳波測定に関わる部品等）は、その電池から電力供給を受けて駆動する。また、左側支持部２２Ｌに内蔵された電池からケーブル１８を介して右側イヤフォン部１６Ｒに電力が供給され、右側イヤフォン部１６Ｒの各部（例えば、右側スピーカ部２０Ｒ内のドライバーユニット、通信チップ、脳波測定に関わる部品等）は、その電力によって駆動する。左側イヤフォン部１６Ｌに電池が設けられず、右側イヤフォン部１６Ｒに電池が設けられてもよい。この場合も、ケーブル１８を介して右側イヤフォン部１６Ｒから左側イヤフォン部１６Ｌに電力が供給される。電池の充電は、例えば、ＵＳＢケーブルを経由して行われてもよいし、イヤフォン装置１０がケースに収容されたときに無線給電によって行われてもよい。なお、左側イヤフォン部１６Ｌと右側イヤフォン部１６Ｒの両方に電池が設けられていてもよい。
【０１２０】
なお、電池の充電による電位測定への影響を防止するために、充電が開始した場合、電位測定を中止してもよい。別の例として、電池や充電に関わる部品の周囲にシールド部材（電磁波防止部材）を設けている場合、充電中であっても電位測定を行ってもよい。
【０１２１】
イヤフォン装置１０にはリモコン等の操作部が設けられていてもよい。
【０１２２】
以下、図５を参照して、耳掛け部の形状等について更に詳しく説明する。図５は、左側イヤフォン部１６Ｌを左側支持部２２Ｌ側から見たときの図である。
【０１２３】
左側耳掛け部２４Ｌは、第１曲率を有する第１湾曲部３０と、第２曲率を有する第２湾曲部３２と、第３曲率を有する第３湾曲部３４と、を含む。第１湾曲部３０の一方端部は左側支持部２２Ｌに接続されており、第１湾曲部３０は、左側支持部２２Ｌから第２湾曲部３２にかけて設けられた部材である。第２湾曲部３２の一方端部は、第１湾曲部３０の他方端部に接続されており、第２湾曲部３２は、その接続部分から第３湾曲部３４に掛けて設けられた部材である。第３湾曲部３４の一方端部は、第２湾曲部３２の他方端部に接続されており、第３湾曲部３４は、その接続部分からケーブル１８にかけて設けられた部材である、第３湾曲部３４の他方端部はケーブル１８に接続されている。なお、第１湾曲部３０、第２湾曲部３２及び第３湾曲部３４は一体化されており、これにより、左側耳掛け部２４Ｌが形成されている。もちろん、第１湾曲部３０、第２湾曲部３２及び第３湾曲部３４は、それぞれ別の部材によって構成されて互いに接続されてもよい。
【０１２４】
第１湾曲部３０の第１曲率は、例えば、Ｒ１２．５〜Ｒ１４．５である。第１湾曲部３０の第１曲率は、Ｒ１３．０〜Ｒ１４．０であってもよいし、Ｒ１３．５であってもよいし。第２湾曲部３２の第２曲率は、例えば、Ｒ１５．５〜Ｒ１７．５である。第２湾曲部３２の第２曲率は、Ｒ１６．０〜Ｒ１７．０であってもよいし、Ｒ１６．５であってもよい。第３湾曲部３４の第３曲率は、例えば、Ｒ１０６．５〜Ｒ１０８．５である。第３湾曲部３４の第３曲率は、Ｒ１０７．０〜Ｒ１０８．０であってもよいし、Ｒ１０７．６であってもよい。
【０１２５】
このように、左側耳掛け部２４Ｌは、部分毎に曲率が異なる形状を有して、全体として左耳の付け根を覆うように形成されている。部分的に曲率を変えることで、左側イヤフォン部１６Ｌの左耳への密着度が高くなり、その結果、脳波測定精度を向上させることができる。もちろん、上記の曲率の値は一例にすぎず、ユーザの耳の形状に適合するように曲率の値が定められてもよい。
【０１２６】
また、重力が働く方向（鉛直方向）に直交する方向を水平方向と定義した場合、左側耳掛け部２４Ｌがユーザの左耳に掛けられて左側イヤフォン部１６Ｌが左耳に装着されたときに、その水平方向から予め定められた角度θを持って傾斜するように左側支持部２２Ｌが配置されている。その角度θは、例えば、３７°〜４３°である。角度θは、３９°〜４１°であってもよいし、４０°であってもよい。このような角度を採用することで、左側イヤフォン部１６Ｌの左耳への密着度を向上させることができる。
【０１２７】
また、第１湾曲部３０の付け根の部分と左側支持部２２Ｌの側面とのなす角度φは、例えば３０°〜４０°である。このような角度で第１湾曲部３０を設けることで、左側イヤフォン部１６Ｌの左耳への密着度を向上させることができる。
【０１２８】
右側イヤフォン部１６Ｒについても左側イヤフォン部１６Ｌと同様である。右側耳掛け部２４Ｒは、上記の第１曲率を有する第１湾曲部と、上記の第２曲率を有する第２湾曲部と、上記の第３曲率を有する第３湾曲部と、を含む。また、右側支持部２２Ｒは、上記の角度θを持って傾斜するように配置されており、第１湾曲部は、上記の角度φを持って傾斜するように配置されている。
【０１２９】
図５に示されている構成によれば、左側イヤフォン部１６Ｌの左側耳掛け部２４Ｌを左耳に設置し、その後、角度θにわたって左側イヤフォン部１６Ｌを回転させることで（例えば頭部の後方へ向けて回転させることで）、左側イヤフォン部１６Ｌが左耳に装着される。このように左側イヤフォン部１６Ｌを回転させて左耳に装着することで、左耳への左側イヤフォン部１６Ｌの密着度が高くなり、左耳から左側イヤフォン部１６Ｌが外れ難くなる。右耳への右側イヤフォン部１６Ｒの装着方法も同じであり、右側イヤフォン部１６Ｒを回転させて右耳に装着することで、右耳への右側イヤフォン部１６Ｒの密着度が高くなり、右耳から右側イヤフォン部１６Ｒが外れ難くなる。
【０１３０】
以下、左側スピーカ部２０Ｌと右側スピーカ部２０Ｒを構成するイヤーパットに設けられた脳波センサについて詳しく説明する。
【０１３１】
図６及び図７には、イヤーパットの一例が示されている。図６は、イヤーパットを側面から見た図であり、図７は、イヤーパットを上方（耳に挿入される側）から見た図である。
【０１３２】
イヤーパット３６は、左側スピーカ部２０Ｌ及び右側スピーカ部２０Ｒを構成するイヤーパットとして用いられる。イヤーパット３６自体は公知のイヤーパットを用いることができる。図６及び図７に示す例では、イヤーパット３６は、円形の断面を有し、先端に向けて幅（円の直径）が狭くなる柱状の形状を有する。イヤーパット３６には、高さ方向に貫通する貫通穴３６ａが形成されており、その貫通穴３６ａを通って音が外部に伝わる。イヤーパット３６は、例えばゴム等の樹脂によって構成されている。
【０１３３】
イヤーパット３６の側面には、電極としての脳波センサ３８が設けられている。脳波センサ３８は、イヤーパット３６の高さ方向に並列に配置された複数の線状のセンサ（電極）によって構成されており、イヤーパット３６の外周部において周方向に沿って配置されている。
【０１３４】
イヤーパット３６が左側スピーカ部２０Ｌに設けられた場合、脳波センサ３８は、第１左脳波センサ２６Ｌとして機能する。同様に、イヤーパット３６が右側スピーカ部２０Ｒに設けられた場合、脳波センサ３８は、第１右脳波センサ２６Ｒとして機能する。
【０１３５】
脳波センサ３８は、例えばカーボン製の導電性ゴムによって構成されている。電気抵抗を下げるために、脳波センサ３８は、電気抵抗を下げるために銀ペーストを含んでもよい。
【０１３６】
脳波センサ３８がある程度の湿度を有していると、電位が測定され易いことがある。そこで、脳波センサ３８の湿度を保つために、脳波センサ３８の表面が加工されてもよい。一般的に、固体表面の濡れ性は、固体表面の粗さに依存する。例えばＷｅｎｚｅｌの式によると、表面粗さが増加するほど、親水性表面では接触角が小さくなり、表面が濡れ易くなる（つまり、湿度が保持され易くなる）。そこで、脳波センサ３８の表面粗さが、電位が測定され易い湿度が得られる表面粗さとなるように、脳波センサ３８の表面を加工して表面粗さを調整してもよい。別の例として、フッ素ガスによる表面処理によって脳波センサ３８の表面に含酸素官能基を導入することで、脳波センサ３８の表面に親水性を発現させ、これにより、脳波センサ３８の湿度を保ってもよい。もちろん、これら以外の方法によって脳波センサ３８の湿度を、電位が測定され易い湿度に維持してもよい。
【０１３７】
図８及び図９には、脳波センサの別の例が示されている。図８及び図９は、イヤーパット３６を側面から見た図である。イヤーパット３６自体は、図６及び図７に示されているイヤーパット３６と同じ形状を有する。図８に示す例では、電極としての脳波センサ４０は、複数の三角形状のセンサ（電極）によって構成されており、イヤーパット３６の外周部において周方向に沿って配置されている。図９に示す例では、電極としての脳波センサ４２は、複数の円形状のセンサ（電極）によって構成されており、イヤーパット３６の外周部において周方向に沿って配置されている。
【０１３８】
図１０から図１３には、脳波センサの更に別の例が示されている。図１０、図１２及び図１３は、イヤーパット３６を側面から見た図であり、図１１は、イヤーパット３６を上方（耳に挿入される側）から見た図である。イヤーパット３６自体は、図６及び図７に示されているイヤーパット３６と同じ形状を有する。図１０及び図１１に示す例では、電極としての脳波センサ４４は、イヤーパット３６の周方向に並列に配置された複数の線状のセンサ（電極）によって構成されており、イヤーパット３６の外周部において高さ方向に沿って配置されている。図１２に示す例では、電極としての脳波センサ４６は、複数の三角形状のセンサ（電極）によって構成されており、イヤーパット３６の外周部において高さ方向に沿って配置されている。図１３に示す例では、電極としての脳波センサ４８は、複数の円形状のセンサ（電極）によって構成されており、イヤーパット３６の外周部において高さ方向に沿って配置されている。
【０１３９】
上述した脳波センサの形状や配置は一例に過ぎず、別の形状や配置が採用されてもよい。また、イヤーパット３６の外周の全面に脳波センサが設けられてもよい。
【０１４０】
以下、図１４から図１７を参照して、脳波センサの別の設置例について説明する。図１４から図１７は、イヤフォン装置１０の一部の構成を示す斜視図である。
【０１４１】
図１４に示す例では、右側イヤフォン部１６Ｒに脳波センサ（電極）が設けられており、左側イヤフォン部１６Ｌに脳波センサ（電極）が設けられていない。つまり、右側スピーカ部２０Ｒの側面（イヤーパットの側面）に第１右脳波センサ２６Ｒが設けられており、右側耳掛け部２４Ｒに第２右脳波センサ２８Ｒが設けられている。この場合、右側イヤフォン部１６Ｒに設けられた第１右脳波センサ２６Ｒと第２右脳波センサ２８Ｒとによって電位が測定され、その測定結果を示す情報が、脳波測定結果を示す情報として、イヤフォン装置１０から端末装置１２に送信される。なお、左側イヤフォン部１６Ｌに脳波センサを設けて、右側イヤフォン部１６Ｒに脳波センサを設けなくてもよい。
【０１４２】
図１５に示す例では、図１４に示す例と同様に、右側イヤフォン部１６Ｒに脳波センサ（電極）が設けられており、左側イヤフォン部１６Ｌに脳波センサ（電極）が設けられていない。右側イヤフォン部１６Ｒの右側耳掛け部２４Ｒに設けられた第２右脳波センサ２８Ｒは、右側耳掛け部２４Ｒに沿って設けられた２つの脳波センサ５０（電極）を含むセンサである。この場合、例えば、２つの脳波センサ５０の中のいずれかの脳波センサ５０と第１右脳波センサ２６Ｒとの間の電位差が、右側イヤフォン部１６Ｒによって測定された電位差として採用される。もちろん、第２右脳波センサ２８Ｒは、３つ以上の脳波センサ５０を含んでもよい。第２右脳波センサ２８Ｒを複数の脳波センサ５０によって構成することで、第２右脳波センサ２８Ｒが右耳に接触し易くなるので、第２右脳波センサ２８Ｒによって確実に電位が測定され易くなる。つまり、複数の脳波センサ５０の中のいずれかの脳波センサ５０が右耳に接触することで電位が測定されるので、１つの脳波センサのみを用いる場合と比べて、より確実に電位が測定される。
【０１４３】
図１６に示す例では、右側スピーカ部２０Ｒの側面（イヤーパットの側面）に第１右脳波センサ２６Ｒが設けられており、右側耳掛け部２４Ｒに第２右脳波センサ２８Ｒが設けられており、左側耳掛け部２４Ｌに第２左脳波センサ２８Ｌが設けられている。第１左脳波センサ２６Ｌは設けられていない。この場合、例えば、第１右脳波センサ２６Ｒと第２右脳波センサ２８Ｒとの間の電位差、又は、第１右脳波センサ２６Ｒと第２左脳波センサ２８Ｌとの間の電位差が測定され、その測定された電位差が脳波測定結果として採用される。このように第２左脳波センサ２８Ｌと第２右脳波センサ２８Ｒを用いることで、いずれか一方の脳波センサが耳と接触していない場合や、一方の脳波センサと耳との接触が良好ではない場合であっても、脳波測定が可能となる。
【０１４４】
図１７に示す例では、右側スピーカ部２０Ｒの側面（イヤーパットの側面）に第１右脳波センサ２６Ｒが設けられており、右側耳掛け部２４Ｒに第２右脳波センサ２８Ｒが設けられており、左側スピーカ部２０Ｌの側面（イヤーパットの側面）に第１左脳波センサ２６Ｌが設けられており、左側耳掛け部２４Ｌに第２左脳波センサ２８Ｌが設けられている。図１５に示す例と同様に、第２右脳波センサ２８Ｒは、右側耳掛け部２４Ｒに沿って設けられた２つの脳波センサ５０（電極）を含むセンサである。同様に、第２左脳波センサ２８Ｌは、左側耳掛け部２４Ｌに沿って設けられた２つの脳波センサ５２（電極）を含むセンサである。この場合、例えば、２つの脳波センサ５０の中のいずれかの脳波センサ５０と第１右脳波センサ２６Ｒとの間の電位差が、右側イヤフォン部１６Ｒによって測定された電位差として採用され、２つの脳波センサ５２の中のいずれかの脳波センサ５２と第１左脳波センサ２６Ｌとの間の電位差が、左側イヤフォン部１６Ｌによって測定された電位差として採用される。もちろん、３つ以上の脳波センサ５０，５２が設けられてもよい。このように複数のセンサによって第２右脳波センサ２８Ｒと第２左脳波センサ２８Ｌを構成することで、第２右脳波センサ２８Ｒが右耳に接触し易くなり、第２左脳波センサ２８Ｌが左耳に接触し易くなるので、第２右脳波センサ２８Ｒと第２左脳波センサ２８Ｌによってより確実に電位が測定される。
【０１４５】
本実施形態に係るイヤフォン装置１０によると、複数の脳波センサによって耳を挟むことで、脳波センサを耳に密着させることができるので、電位測定精度を向上させることができ、その結果、脳波測定精度を向上させることが可能となる。
【０１４６】
以下、図１８を参照して、イヤフォン装置１０の機能について詳しく説明する。図１８は、イヤフォン装置１０の機能ブロック図である。
【０１４７】
上述したように、イヤフォン装置１０は、左側イヤフォン部１６Ｌと、右側イヤフォン部１６Ｒと、左側イヤフォン部１６Ｌと右側イヤフォン部１６Ｒとを接続するケーブル１８と、を含む。
【０１４８】
左側イヤフォン部１６Ｌは、左側スピーカ部２０Ｌと、第１左脳波センサ２６Ｌと、第２左脳波センサ２８Ｌと、通信部５４Ｌと、電池５６と、制御部５８Ｌと、を含む。
【０１４９】
通信部５４Ｌは通信インターフェース（通信チップ）であり、他の装置にデータを送信する機能、及び、他の装置からデータを受信する機能を有する。通信部５４Ｌは、例えば無線通信機能を有する。その通信方式として、上述したように、ブルートゥース等の近距離無線通信、赤外線通信、可視光通信、Ｗｉ−Ｆｉ通信、等が用いられる。ここでは一例として、近距離無線通信（例えばブルートゥース）が用いられるものとする。例えば、通信部５４Ｌは、近距離無線通信によって、左側スピーカ部２０Ｌから発せられる音を表わす信号を外部装置（例えば端末装置１２）から受信する。左側スピーカ部２０Ｌは、通信部５４Ｌによって受信された信号に従って音を発生させる。また、通信部５４Ｌは、近距離無線通信によって、脳波測定結果を示す情報を外部装置（例えば端末装置１２）に送信してもよい。なお、イヤフォン装置１０は、端末装置１２以外の外部装置（例えば再生装置や表示装置等）と組み合わせて用いられてもよいため、端末装置１２以外の外部装置と通信して、音信号を当該外部装置から受信してもよいし、脳波測定結果を示す情報を当該外部装置に送信してもよい。
【０１５０】
電池５６は、左側イヤフォン部１６Ｌの各部に電力を供給する。例えば、電池５６から、左側スピーカ部２０Ｌ、通信部５４Ｌ及び制御部５８Ｌに電力が供給され、左側スピーカ部２０Ｌ、通信部５４Ｌ及び制御部５８Ｌは、電池５６から供給された電力によって駆動する。また、後述するように、右側イヤフォン部１６Ｒに電池が設けられていない場合、ケーブル１８を介して、電池５６から右側イヤフォン部１６Ｒの各部に電力が供給される。電池５６として、例えば、充電可能な電池が用いられる。もちろん、充電不可能な電池が電池５６として用いられてもよい。なお、電池５６や充電に関わる部品の周囲にシールド部材（電磁波防止部材）が設けられてもよい。シールド部材を設けることで、充電中に発する電磁波に起因するノイズを軽減して脳波測定の精度を高めることができる。
【０１５１】
制御部５８Ｌは、左側イヤフォン部１６Ｌの各部の動作を制御する。制御部５８Ｌは、例えば、通信部５４Ｌによる通信を制御したり、脳波測定結果に対して処理（例えば統計処理）を施したり、左側イヤフォン部１６Ｌの各部の故障を検知したり、ケーブル１８の故障を検知したりする。
【０１５２】
右側イヤフォン部１６Ｒは、右側スピーカ部２０Ｒと、第１右脳波センサ２６Ｒと、第２右脳波センサ２８Ｒと、通信部５４Ｒと、制御部５８Ｒと、を含む。
【０１５３】
通信部５４Ｒは、通信部５４Ｌと同様に、通信インターフェース（通信チップ）であり、他の装置にデータを送信する機能、及び、他の装置からデータを受信する機能を有する。通信部５４Ｒは、例えば無線通信機能を有する。通信方式は、通信部５４Ｌが採用する通信方式（例えばブルートゥース）と同じである。例えば、通信部５４Ｒは、近距離無線通信によって、右側スピーカ部２０Ｒから発せられる音を表わす信号を端末装置１２から受信する。右側スピーカ部２０Ｒは、通信部５４Ｒによって受信された信号に従って音を発生させる。また、通信部５４Ｒは、近距離無線通信によって、脳波測定結果を示す情報を端末装置１２に送信してもよい。
【０１５４】
制御部５８Ｒは、右側イヤフォン部１６Ｒの各部の動作を制御する。制御部５８Ｒは、例えば、通信部５４Ｒによる通信を制御したり、脳波測定結果に対して処理（例えば統計処理）を施したり、右側イヤフォン部１６Ｒの各部の故障を検知したり、ケーブル１８の故障を検知したりする。
【０１５５】
なお、制御部５８Ｌ又は制御部５８Ｒのいずれか一方が、イヤフォン装置１０に設けられて、その一方の制御部が、イヤフォン装置１０の各部の動作を制御してもよい。
【０１５６】
右側イヤフォン部１６Ｒには電池が設けられていない。上述したように、ケーブル１８を介して、左側イヤフォン部１６Ｌに設けられた電池５６から右側イヤフォン部１６Ｒに電力が供給され、右側スピーカ部２０Ｒ、通信部５４Ｒ及び制御部５８Ｒは、電池５６から供給された電力によって駆動する。一方のイヤフォン部のみに電池を設けることで、イヤフォン装置１０の全体の重さを軽くすることができる。
【０１５７】
もちろん、左側イヤフォン部１６Ｌと右側イヤフォン部１６Ｒの両方に電池が設けられてもよい。この場合、右側イヤフォン部１６Ｒに設置された電池から右側イヤフォン部１６Ｒの各部に電力が供給される。別の例として、右側イヤフォン部１６Ｒに電池が設けられ、左側イヤフォン部１６Ｌに電池が設けられなくてもよい。この場合、ケーブル１８を介して、右側イヤフォン部１６Ｒに設置された電池から左側イヤフォン部１６Ｌに電力が供給される。
【０１５８】
第１左脳波センサ２６Ｌと第２左脳波センサ２８Ｌとによって第１電位差が測定され、第１右脳波センサ２６Ｒと第２右脳波センサ２８Ｒとによって第２電位差が測定されると、制御部５８Ｌ又は制御部５８Ｒは、第１電位差と第２電位差に対して統計処理（例えば単純平均や重み付け平均）を適用し、その統計処理によって得られた値を脳波測定結果として採用する。この場合、その脳波測定結果を示す情報が、通信部５４Ｌ又は通信部５４Ｒによって、イヤフォン装置１０から端末装置１２に送信される。もちろん、統計処理が行われる前の情報がイヤフォン装置１０から端末装置１２に送信されて、端末装置１２にて統計処理が行われてもよい。この場合、第１電位差を示す情報が、第１脳波測定結果を示す情報として、通信部５４Ｌによってイヤフォン装置１０から端末装置１２に送信され、第２電位差を示す情報が、第２脳波測定結果を示す情報として、通信部５４Ｒによってイヤフォン装置１０から端末装置１２に送信される。
【０１５９】
ケーブル１８に故障が発生した場合、第１脳波測定結果を示す情報が、通信部５４Ｌによってイヤフォン装置１０から端末装置１２に送信され、第２脳波測定結果を示す情報が、通信部５４Ｒによってイヤフォン装置１０から端末装置１２に送信されてもよい。
【０１６０】
通信部５４Ｌ又は通信部５４Ｒのいずれか一方が故障した場合、故障していない通信部（通信チップ）を用いて、脳波測定結果を示す情報を端末装置１２に送信してもよい。
【０１６１】
左側イヤフォン部１６Ｌ又は右側イヤフォン部１６Ｒのいずれか一方が故障した場合、故障していないイヤフォン部は、当該イヤフォン部によって得られた脳波測定結果を示す情報を端末装置１２に送信してもよい。
【０１６２】
電池５６の充電中、制御部５８Ｌ又は制御部５８Ｒは、脳波測定結果を示す情報を端末装置１２に送信しなくてもよいし、脳波測定を中止してもよい。別の例として、電池５６の充電中、制御部５８Ｌは、第１左脳波センサ２６Ｌと第２左脳波センサ２８Ｌとによる脳波測定を中止し、制御部５８Ｒは、第１右脳波センサ２６Ｒと第２右脳波センサ２８Ｒとによる脳波測定を継続してもよい。この場合、右側イヤフォン部１６Ｒによって得られた脳波測定結果を示す情報が、イヤフォン装置１０から端末装置１２に送信される。電池５６の充電中、電池５６が設けられている左側イヤフォン部１６Ｌによって得られた脳波測定結果は、その充電に起因するノイズの影響を受け易いが、電池が設けられていない右側イヤフォン部１６Ｒによって得られた脳波測定結果は、そのようなノイズの影響を受け難い。従って、左側イヤフォン部１６Ｌによる脳波測定を中止し、右側イヤフォン部１６Ｒによって得られた脳波測定結果を示す情報を端末装置１２に送信することで、充電に起因するノイズの影響がより少ない脳波測定結果が端末装置１２に与えられる。もちろん、電池５６の充電中においても、左側イヤフォン部１６Ｌによる脳波測定を継続してもよい。この場合、左側イヤフォン部１６Ｌによる測定結果を用いずに、右側イヤフォン部１６Ｒによって得られた測定結果を用いて、脳波が得られる。例えば、左側イヤフォン部１６Ｌによる測定結果を示す情報が、イヤフォン装置１０から端末装置１２に送信されなくてもよいし、脳波解析の際に用いられなくてもよい。
【０１６３】
以下、図１９を参照して、端末装置１２の構成について詳しく説明する。図１９は、端末装置１２の機能ブロック図である。
【０１６４】
通信部６０は通信インターフェースであり、他の装置にデータを送信する機能、及び、他の装置からデータを受信する機能を有する。通信部６０は、例えば無線通信機能を有する。その通信方式として、ブルートゥース等の近距離無線通信、赤外線通信、可視光通信、Ｗｉ−Ｆｉ通信、等が用いられる。通信部６０は、有線通信機能を有していてもよい。
【０１６５】
通信部６０は、例えば近距離無線通信（例えばブルートゥース）によってイヤフォン装置１０と通信する。より詳しく説明すると、通信部６０は、近距離無線通信によって、左側スピーカ部２０Ｌから発せられる音を表わす信号を左側スピーカ部２０Ｌの通信部５４Ｌに送信し、右側スピーカ部２０Ｒから発せられる音を表わす信号を右側スピーカ部２０Ｒの通信部５４Ｒに送信する。また、通信部６０は、近距離無線通信によって、脳波測定結果を示す情報をイヤフォン装置１０から受信する。なお、端末装置１２は、イヤフォン装置１０以外のイヤフォンや脳波測定装置と組み合わせて用いられてもよい。この場合、端末装置１２は、当該脳波測定装置から脳波測定結果を示す情報を受信し、イヤフォン装置１０や他のイヤフォンに音信号を送信してもよい。
【０１６６】
また、通信部６０は、Ｗｉ−Ｆｉ等の無線通信機能又は有線通信機能によって、通信経路Ｎを介して他の装置と通信する。通信部６０は、例えばインターネット経由で情報を送受信する。通信部６０は、通信経路Ｎを介して、音楽配信サーバ１４から音楽データをダウンロードしてもよいし、音楽データをストリーミング形式で受信してもよい。
【０１６７】
記憶部６２はハードディスクやメモリ（例えばＳＳＤ等）等の記憶装置である。記憶部６２には、例えば、各種のデータ、各種のプログラム、音楽配信サーバ１４のアドレスを示すアドレス情報、等が記憶されている。また、記憶部６２は、リスト記憶部６４を含む。
【０１６８】
リスト記憶部６４は、１又は複数のコンテンツプレイリストのデータを記憶する。コンテンツは例えば音楽や動画であり、コンテンツプレイリストは、コンテンツを識別するためのコンテンツ識別情報によって構成されたリストである。コンテンツプレイリストには、１又は複数のコンテンツが登録されており、コンテンツプレイリストは、１又は複数のコンテンツに対応する１又は複数のコンテンツ識別情報によって構成されている。
【０１６９】
リスト記憶部６４は、コンテンツプレイリストの一例として、１又は複数の音楽プレイリストのデータを記憶する。音楽プレイリストは、音楽（曲）を識別するための音楽識別情報（例えば曲タイトル、アーティスト名、アルバム名等）によって構成されたリストである。音楽プレイリストには、１又は複数の音楽が登録されており、音楽プレイリストは、１又は複数の音楽に対応する１又は複数の音楽識別情報によって構成されている。音楽プレイリストは、例えばユーザ毎に作成されて、ユーザに紐付いて管理される。具体的には、音楽プレイリストのデータに、ユーザを識別するためのユーザ識別情報（例えばユーザＩＤやユーザ名等）が関連付けられる。また、初期音楽プレイリストが予め作成されてもよいし、脳波状態毎の音楽プレイリストが予め作成されてもよいし、ユーザが希望する脳波状態毎の音楽プレイリストが作成されてもよい。これらの音楽プレイリストのデータがリスト記憶部６４に記憶されてもよい。初期音楽プレイリストは、予め選択された１又は複数の音楽（曲）に対応する１又は複数の音楽識別情報によって構成されたリストである。もちろん、ジャンル毎のリスト、アーティスト毎のリスト、年代別のリスト、等が作成されてもよい。音楽データ自体は、記憶部６２に記憶されていてもよいし、他の装置（例えば音楽配信サーバ１４や他のサーバ等）に記憶されていてもよい。
【０１７０】
リスト記憶部６４は、コンテンツリストの一例として、１又は複数の動画プレイリストのデータを記憶してもよい。動画プレイリストは、動画を識別するための動画識別情報（例えば動画タイトル、動画作成者等）によって構成されたリストである。動画プレイリストには、１又は複数の動画が登録されており、動画プレイリストは、１又は複数の動画に対応する１又は複数の動画識別情報によって構成されている。動画プレイリストは、例えばユーザ毎に作成されて、ユーザに紐付いて管理される。具体的には、動画プレイリストのデータに、ユーザ識別情報が関連付けられる。また、初期動画プレイリストが予め作成されてもよいし、脳波状態毎の動画プレイリストが予め作成されてもよい。これらの動画プレイリストのデータがリスト記憶部６４に記憶されてもよい。初期動画プレイリストは、予め選択された１又は複数の動画に対応する１又は複数の動画識別情報によって構成されたリストである。もちろん、ジャンル毎のリスト、動画作成者毎のリスト、年代別のリスト、等が作成されてもよい。動画データ自体は、記憶部６２に記憶されていてもよいし、他の装置（例えば動画配信サーバや他のサーバ等）に記憶されていてもよい。
【０１７１】
なお、音楽と動画とが混在したコンテンツプレイリストが作成されてリスト記憶部６４に記憶されてもよい。
【０１７２】
ＵＩ部６６はユーザインターフェース部であり、表示部と操作部を含む。表示部は、例えば液晶ディスプレイ等の表示装置である。操作部は、例えば、タッチパネル、ボタン、キーボード、マウス、等の入力装置である。もちろん、表示部と操作部を兼ねたユーザインターフェース（例えばタッチ式のディスプレイや、ディスプレイ上に電子的にキーボード等を表示する機器）であってもよい。
【０１７３】
制御部６８は、端末装置１２の各部の動作を制御する。また、制御部６８は、脳波状態評価部７０と、リスト作成部７２と、表示制御部７４と、再生制御部７６と、を含む。
【０１７４】
脳波状態評価部７０は、脳波測定結果を示す情報を受けて、脳波測定結果（例えば電位差）を解析することで、ユーザの脳波状態を評価する。脳波状態は、例えば、集中、リラックス、眠い、目が覚めている、等である。脳波状態評価部７０は、脳波解析によって得られた脳波状態を数値化してもよい。ユーザの脳波状態が１つの状態に定まらず、複数の脳波状態が混在している場合もある。例えば、脳波状態として「集中」状態と「リラックス」状態が混在している場合、脳波状態評価部７０は、「集中度」と「リラックス度」のそれぞれを数値化する。なお、脳波測定結果（電位差を示す情報）から脳波状態を評価する方法として、公知技術を用いることができる。例えば、脳波測定結果から得られたδ波、θ波、α波、β波を解析することで、脳波状態を評価することができる。
【０１７５】
脳波状態評価部７０は、単位時間毎（例えば１秒毎）の脳波状態を表わす数値を演算してもよいし、予め定められた時間の間における脳波状態を表わす数値の平均値（時間平均）を演算してもよい。また、脳波状態評価部７０は、その数値の時間変化を表わす波形（脳波状態の時間変化を表わす波形）を生成してもよい。
【０１７６】
また、脳波状態評価部７０は、コンテンツと脳波状態とを関連付ける。例えば、音楽の再生中、脳波状態評価部７０は、脳波測定結果を示す情報に基づいてユーザの脳波状態を評価し、その音楽とその脳波状態とを関連付ける。脳波状態の時間変化が得られるため、１曲中の個々の時点における脳波状態が測定されることになる。これにより、曲中の個々の時点における脳波状態を特定することができる。
【０１７７】
脳波状態評価部７０は、例えば、音楽を識別する音楽識別情報（例えばタイトル等）と、ユーザの脳波状態を示す脳波状態情報と、を関連付ける。音楽識別情報は、脳波状態情報が関連付けられた状態で記憶部６２に記憶される。脳波状態情報は、その曲が再生されている間に得られた脳波状態を示す情報であり、例えば、単位時間毎の脳波状態を表わす数値、その数値の平均値、その数値の時間変化を表わす波形等を示す情報である。平均値は、例えば、１曲の全時間帯又は一部の時間帯（例えば指定された時間帯）における時間平均である。例えば、脳波状態が「集中」に該当する場合、脳波状態情報は、単位時間毎の「集中度」（数値）、その平均値、「集中度」の時間変化を表わす波形、等を含む。また、複数の脳波状態が混在している場合、脳波状態情報は、単位時間毎の各脳波状態を表わす数値、各脳波状態の数値の平均値（時間平均）、各脳波状態を表わす波形を含む。例えば、脳波状態として「集中」と「リラックス」が混在している場合、脳波状態情報は、単位時間毎の「集中度」（数値）、その平均値、「集中度」の時間変化を表わす波形、単位時間毎の「リラックス度」（数値）、その平均値、「リラックス度」の時間変化を表わす波形を含む。
【０１７８】
動画の再生中に脳波を測定した場合も、音楽についての処理と同様であり、動画を識別する動画識別情報（例えばタイトル等）と、ユーザの脳波状態を示す脳波状態情報と、が関連付けられる。
【０１７９】
なお、脳波状態評価部７０が解析する脳波測定結果は、イヤフォン装置１０によって得られた結果であってもよいし、他の脳波測定装置によって得られた結果であってもよい。
【０１８０】
脳波状態評価部７０は、端末装置１２に設けられずに、他の装置に設けられもよい。例えば、管理サーバが情報処理システムに含まれており、その管理サーバに脳波状態評価部７０が設けられてもよい。この場合、管理サーバ等の他の装置によってユーザの脳波状態が評価され、その脳波状態を示す情報が、当該他の装置から端末装置１２に送信されてもよい。もちろん、イヤフォン装置１０に脳波状態評価部７０が設けられて、イヤフォン装置１０にて脳波測定結果が解析されて脳波状態が評価されてもよい。この場合、その評価を示す脳波状態情報が、イヤフォン装置１０から端末装置１２に送信されてもよい。
【０１８１】
リスト作成部７２は、コンテンツプレイリストとしての音楽プレイリストや動画プレイリストを作成する。リスト作成部７２は、ユーザが選択した音楽の音楽識別情報を含む音楽プレイリストや、ユーザが選択した動画の動画識別情報を含む動画プレイリストを作成してもよいし、脳波状態毎の音楽プレイリストや動画プレイリストを自動的に作成してもよい。もちろん、リスト作成部７２は、ジャンル毎のリスト、アーティストや動画作成者毎のリストや、年代別のリスト、等を作成してもよい。
【０１８２】
上記のように、音楽の再生中にユーザの脳波状態が評価された場合、音楽と脳波状態とが関連付けられる。この場合、リスト作成部７２は、脳波状態の評価結果に基づいて、脳波状態に適合する音楽プレイリスト（その脳波状態用の音楽プレイリスト）を作成する。例えば、ある音楽に関連付けられている脳波状態を表わす数値の平均値が閾値以上の場合、リスト作成部７２は、その音楽を、その脳波状態に適合する音楽プレイリストに登録する。例えば、ある音楽に、脳波状態「集中」と「リラックス」が関連付けられており、「集中度」が閾値以上であり、「リラックス度」が閾値未満の場合、リスト作成部７２は、その音楽を「集中」に適合する音楽プレイリスト（集中用の音楽プレイリスト）に登録する。「リラックス度」も閾値以上の場合、リスト作成部７２は、その音楽を「集中」に関連する音楽プレイリストに登録すると共に、「リラックス」に関連する音楽プレイリスト（リラックス用の音楽プレイリスト）にも登録する。このようにして、ユーザ固有の音楽プレイリストであって脳波状態毎の音楽プレイリストが作成される。
【０１８３】
動画の再生中にユーザの脳波状態が評価された場合も、音楽についての処理と同様であり、ユーザ固有の脳波状態毎の動画プレイリストが作成される。
【０１８４】
なお、コンテンツリストのデータは、リスト作成部７２によって作成されずに、他の装置（例えばＰＣ、スマートフォン、音楽プレイヤー等）等によって作成されてもよいし、音楽配信サーバ１４、動画配信サーバ、管理サーバ等によって作成されてもよい。
【０１８５】
表示制御部７４は、各種の情報の表示を制御する。表示制御部７４は、脳波状態評価部７０によって得られた脳波状態を示す情報（例えば数値や波形）をＵＩ部６６に表示させてもよいし、音楽プレイリストや動画プレイリストをＵＩ部６６に表示させてもよいし、再生中の曲や動画に関する情報をＵＩ部６６に表示させてもよい。
【０１８６】
再生制御部７６は、コンテンツプレイリストに含まれるコンテンツ（音楽や動画）を再生する。
【０１８７】
例えば、ユーザが、リスト記憶部６４に記憶されている複数の音楽プレイリストの中から音楽プレイリストを指定して再生指示を与えた場合、再生制御部７６は、ユーザによって指定された音楽プレイリストに登録されている音楽（曲）を再生する。例えば、再生制御部７６は、音楽プレイリストに登録されている音楽のデータが記憶部６２に記憶されている場合、その音楽データを記憶部６２から取得して再生してもよいし、その音楽データを音楽配信サーバ１４からダウンロードして再生してもよいし、音楽配信サーバ１４によってストリーミング配信されたその音楽データを再生してもよいし、これら以外の他の装置から音楽データを取得して再生してもよい。もちろん、ユーザによって音楽プレイリストが指定されずに、音楽（曲）そのものが指定された場合、再生制御部７６は、その指定された音楽を再生する。
【０１８８】
また、ユーザが希望の脳波状態を指定して再生を指示した場合、再生制御部７６は、ユーザの脳波状態を希望の脳波状態に遷移させ又は維持するための音楽（曲）を再生する。音楽と脳波状態とが関連付けられている場合、再生制御部７６は、ユーザが希望する脳波状態に関連付けられている音楽を再生する。例えば、再生制御部７６は、当該希望の脳波状態を表わす数値（例えば平均値）が閾値以上となる音楽を再生する。具体例を挙げて説明すると、希望の脳波状態が「集中」の場合、再生制御部７６は、閾値以上の「集中度」（例えば平均値）が関連付けられた音楽を再生する。再生制御部７６は、閾値以上の数値が関連付けられた音楽をランダムに再生してもよいし、数値が高い音楽を数値が低い音楽よりも先に再生してもよいし、ジャンルやアーティストが指定された場合には、その指定されたジャンルやアーティストの音楽であって閾値以上の数値が関連付けられた音楽を再生してもよい。また、再生制御部７６は、希望の脳波状態に適合する音楽プレイリストに登録されている音楽を再生してもよい。例えば、希望の脳波状態が「集中」の場合、再生制御部７６は、「集中」に適合する音楽プレイリスト（集中用の音楽プレイリスト）に登録されている音楽を再生する。
【０１８９】
その音楽の再生中も、イヤフォン装置１０によって脳波が測定され、脳波状態評価部７０によって脳波状態が評価され、その脳波状態がその音楽に関連付けられる。既に脳波状態が関連付けられている音楽を再生した場合、新たに脳波状態が評価され、その新たな脳波状態もその音楽に関連付けられる。つまり、過去に得られた脳波状態と新たに得られた現在の脳波状態とが同一の音楽に関連付けられる。このようにして、各再生で得られた脳波状態が、脳波状態の履歴として音楽に関連付けられる。これにより、ユーザが同一の音楽を聴いた場合において、過去の脳波状態と現在の脳波状態との対比が可能となる。もちろん、現在の再生よりも１つ前の再生で得られた脳波状態が音楽に関連付けられ、それよりも過去に得られた脳波状態は音楽に関連付けられなくてもよい。なお、この例では、音楽再生中にイヤフォン装置１０によって脳波を測定しているが、もちろん、音楽や動画を再生しなくても、イヤフォン装置１０によって脳波を測定してもよい。
【０１９０】
また、再生制御部７６は、音楽配信サーバ１４から試聴用の音楽データを受けて、その試聴用の音楽を再生してもよい。その試聴用の音楽データは、例えば無料で提供されるデータであり、その再生時間は、有料版の音楽データの再生時間よりも短く、その音質は、有料版の音楽データの音質よりも低音質である。試料用の音楽の再生中も、イヤフォン装置１０によって脳波が測定され、脳波状態評価部７０によって脳波状態が評価され、その脳波状態を表わす数値や波形がＵＩ部６６に表示される。試聴用音楽の再生中に得られた脳波状態を表わす数値が、その音楽を購入する際の判断材料としてユーザに提示されてもよい。別の例として、音楽配信サーバ１４によって推奨された音楽プレイリストが端末装置１２に表示されてもよい。また、試聴用の音楽データは、音楽配信サーバ１４にて指定された１又は複数の曲のデータであってもよいし、１又は複数のジャンルから選択された音楽データであってもよい。
【０１９１】
動画を再生する場合も、音楽を再生する場合と同様の処理が行われる。
【０１９２】
コンテンツプレイリストのデータは、リスト記憶部６４に記憶されずに、他の装置（例えば音楽配信サーバ１４や動画配信サーバや管理サーバ等）に記憶されてもよい。この場合、再生制御部７６は、コンテンツプレイリストのデータが記憶されている他の装置からコンテンツプレイリストのデータを取得したり、他の装置に格納されたコンテンツプレイリストを参照したりして、そのコンテンツプレイリストに含まれるコンテンツを再生する。
【０１９３】
なお、各音楽の再生中の脳波状態を測定する場合、再生制御部７６は、音楽（曲）の一部（例えば曲の最初から途中までの部分）を再生し、脳波状態評価部７０は、その再生中に得られた脳波測定結果に基づいて脳波状態を評価し、再生制御部７６及び脳波状態評価部７０は、この再生と評価をセットとして、複数の音楽（曲）についてそのセット（再生と評価）を行ってもよい。これにより、各音楽が部分的に再生されて、各音楽の再生中の脳波状態が測定される。リスト作成部７２は、このようにして得られた脳波状態を示す情報を用いて、脳波状態毎の音楽プレイリストを作成してもよい。例えば、脳波状態毎の音楽プレイリストが存在しない状態で、複数の音楽について上記のセットを行うことで、脳波状態毎の音楽プレイリストが簡易に作成される。
【０１９４】
以下、端末装置１２による処理について詳しく説明する。
【０１９５】
ユーザがイヤフォン装置１０を装着して脳波が測定されると、その脳波測定結果を示す情報が、イヤフォン装置１０から端末装置１２に送信される。脳波状態評価部７０は、イヤフォン装置１０から送信された脳波測定結果を示す情報を解析することで、ユーザの脳波状態を表わす数値を演算し、その数値の時間変化を表わす波形を生成する。表示制御部７４は、その評価や波形を表わす脳波表示画面をＵＩ部６６に表示させる。
【０１９６】
図２０には、脳波表示画面の一例が示されている。脳波表示画面７８はＵＩ部６６に表示される画面である。脳波表示画面７８には、一例として、波形８０，８２と評価値８４，８６が表示されている。波形８０は、脳波状態の一例としてのユーザの「集中度」の時間変化を表わす波形であり、波形８２は、脳波状態の一例としてのユーザの「リラックス度」の時間変化を表わす波形である。波形８０，８２は、脳波状態評価部７０によって生成された波形である。評価値８４は、「集中度」の時間平均（例えば予め定められた時間の間における平均値）を示しており、評価値８６は、「リラックス度」の時間平均を示している。評価値８４，８６は、脳波状態評価部７０によって演算された値である。図２０に示す例では、「集中」という脳波状態と「リラックス」という脳波状態が混在しており、それぞれが数値化されている。もちろん、ユーザによって指定された脳波状態を示す情報（例えば数値）のみが表示されてもよいし、予め定められた脳波状態を示す情報のみが表示されてもよい。
【０１９７】
再生制御部７６によって音楽が再生されると、その再生中、イヤフォン装置１０によってユーザの脳波が測定され、その脳波測定結果を示す情報が、イヤフォン装置１０から端末装置１２に送信される。脳波状態評価部７０は、その脳波測定結果を示す情報に基づいて、ユーザの脳波状態を評価する。表示制御部７４は、再生対象として選択された音楽を表示する音楽再生画面をＵＩ部６６に表示させ、その音楽再生画面内に脳波状態の評価結果を示す情報を表示する。
【０１９８】
図２１には、音楽再生画面の一例が示されている。音楽再生画面８８はＵＩ部６６に表示される画面である。音楽再生画面８８には、一例として、矢印９０で示すように、再生操作ボタン画像、シークバー、経過時間、曲のタイトル「ＡＡＡＡＡＡＡＡＡ」等が表示される。また、音楽再生画面８８には、再生対象の音楽に紐付く画像９２、評価値９４，９６、及び、弧状の評価バー９８，１００が表示される。画像９２のデータは、端末装置１２に記憶されていてもよいし、音楽配信サーバ１４等の他の装置に記憶されていてもよい。評価値９４は、ユーザの「集中度」を示す値であり、評価値９６は、ユーザの「リラックス度」を示す値である。評価値９４，９６は、現時点での瞬間値であってもよいし、再生中の曲の再生開始時点から現時点までの平均値であってもよい。評価バー９８は「集中度」を表わす画像である。評価バー９８の長さは、「集中度」の値が反映された長さであり、「集中度」の値が大きくなるほど、評価バー９８の長さは長くなる。評価バー１００は「リラックス度」を表わす画像である。評価バー１００の長さは、「リラックス度」の値が反映された長さであり、「リラックス度」の値が大きくなるほど、評価バー１００の長さは長くなる。
【０１９９】
脳波状態評価部７０は、再生中の音楽を識別するための音楽識別情報と、その再生中に得られた脳波状態を示す脳波状態情報と、を関連付けて、脳波状態情報が関連付けられた音楽識別情報を記憶部６２に記憶させる。このように、脳波状態評価部７０は、再生された音楽毎に、音楽識別情報と脳波状態情報とを関連付けて記憶部６２に記憶させる。リスト作成部７２は、音楽識別情報に関連付けられている脳波状態情報に基づいて、ユーザ固有の脳波状態毎の音楽プレイリストを作成する。
【０２００】
例えば、脳波状態の数値の閾値が「６０」に設定されているものとする。図２１に示す例では、「集中度」の平均値が「９１」であり、閾値「６０」以上であるため、リスト作成部７２は、図２１に示されている音楽を、「集中」に適合する音楽プレイリスト（集中用の音楽プレイリスト）に登録する。なお、閾値の値は一例に過ぎず、別の値が用いられてもよい。また、ユーザが閾値を変えられるようにしてもよい。
【０２０１】
図２２には、音楽再生画面の別の例が示されている。音楽再生画面１０２はＵＩ部６６に表示される画面である。音楽再生画面１０２は、一例として、矢印１０４で示すように、再生操作ボタン画像や曲のタイトル等が表示される。また、音楽再生画面１０２には、音楽に関連付けられた脳波状態を示す情報として、波形１０６，１０８、評価値情報１１０、平均値１１２、及び、メッセージ１１４が表示されている。その音楽は、例えば、ユーザによって指定された音楽であってもよいし、ランダムに選曲された音楽であってもよいし。また、その脳波状態は、例えば過去に得られた脳波状態である。
【０２０２】
波形１０６は、脳波状態の一例としてのユーザの「集中度」の時間変化を表わす波形であり、波形１０８は、脳波状態の一例としてのユーザの「リラックス度」の時間変化を表わす波形である。評価値情報１１０は、曲中の指定された時点における評価値を示す情報であり、その時点における「集中度」と「リラックス度」を示す。図２２に示す例では、その時点における「集中度」は「７１」であり、「リラックス度」は「６０」である。単位時間毎に脳波状態を表わす数値が得られているため、このような表示が可能となる。ユーザが曲中の時間を指定すると、その時間における評価値が表示される。これにより、１曲の中で、どの時間帯でどのような脳波状態であるのかが、ユーザに提示される。例えば、ユーザは、「集中度」が高い時間（曲の部分）や「リラックス度」が高い時間が分かるようになる。平均値１１２は、１曲の全時間又は一部の時間における脳波状態の数値の平均値である。図２２に示す例では、「集中度」の平均値が「リラックス度」の平均値よりも大きいため、「集中度」の平均値「７７」が表示されている。また、その平均値が閾値以上となっているため、よく集中できたと評価されており、そのようなメッセージ１１４が表示されている。なお、「リラックス度」の平均値が演算されて表示されてもよい。
【０２０３】
なお、タイマー機能が設けられてもよい。例えば、希望の脳波状態（例えば集中やリラックス等）と時間の長さがユーザによって指定されると、再生制御部７６は、その指定された時間の間、ユーザの脳波状態が希望の脳波状態に維持するように音楽の再生を制御する。複数の時間の長さの候補が予め定められていて、ユーザは、複数の候補の中から希望の時間の長さを指定してもよいし、ユーザが希望する任意の時間の長さを指定してもよい。
【０２０４】
以下、図２３を参照して、脳波状態に適合する音楽プレイリストについて詳しく説明する。図２３には、プレイリスト画面の一例が示されている。プレイリスト画面１１６はＵＩ部６６に表示される画面である。例えば、ユーザが、１又は複数の音楽プレイリストの中から音楽プレイリストを指定すると、表示制御部７４は、プレイリスト画面１１６をＵＩ部６６に表示させ、ユーザによって指定された音楽プレイリストに含まれる音楽に関する情報をプレイリスト画面１１６に表示する。ユーザが希望の脳波状態を指定した場合、表示制御部７４は、その希望の脳波状態に適合する音楽プレイリストに含まれる音楽に関する情報をプレイリスト画面１１６に表示してもよい。
【０２０５】
図２３に示す例では、脳波状態「集中」に適合する音楽プレイリスト（集中プレイリスト）に登録されている音楽に関する情報が表示されている。集中プレイリストは、閾値以上の「集中度」が関連付けられた１又は複数の音楽が登録されているリストである。
【０２０６】
プレイリスト画面１１６には、例えば、集中プレイリストにおいて現在選択されている曲（音楽）に関連付けられている評価値１１８、その次の曲に関連付けられている評価値１２０、及び、前の曲に関連付けられている評価値１２２が表示されている。評価値１１８，１２０，１２２は、「集中度」を表わしている。例えば、選択中の曲に関連付けられている集中度は「９１」であり、この曲でよく集中できたことを示すメッセージが表示されている。また、集中度の大きさに応じた形状を有する画像も表示されている。また、選択中の曲のタイトル「ＡＡＡＡＡＡＡＡＡ」が表示されている。
【０２０７】
また、波形１２４，１２６及び評価値情報１２８が表示されている。これらは、選択中の曲に関連付けられている脳波状態を示す情報である。波形１２４は、「集中度」の時間変化を表わす波形であり、波形１２６は、「リラックス度」を表わす時間変化を表わす波形である。また、評価値情報１２８は、選択された曲中の指定された時点における評価値を示す情報であり、その時点における「集中度」と「リラックス度」を示す。
【０２０８】
また、プレイリスト評価値１３０が表示されている。プレイリスト評価値１３０は、集中プレイリストに登録されている全曲（全音楽）についての「集中度」の評価値であり、例えば、全曲の集中度の数値（平均値）の平均値である。図２３に示す例では、プレイリスト評価値１３０は「８５」である。なお、プレイリスト評価値１３０は、リスト作成部７２によって演算される。
【０２０９】
また、再生制御部７６は、ユーザの脳波状態が希望の脳波状態に遷移し又は維持するように、音楽プレイリストに含まれる各音楽（曲）の順番を変えて、音楽を再生してもよい。再生制御部７６は、例えば、希望の脳波状態に適合する音楽プレイリストの中で、その希望の脳波状態を表わす数値が高い音楽から順に再生する。上記の例では、再生制御部７６は、集中プレイリストに登録されている全曲の中で、「集中度」の評価値が高い曲から順に再生する。
【０２１０】
図２４には、別のプレイリスト画面が示されている。プレイリスト画面１３２はＵＩ部６６に表示される画面である。このプレイリスト画面１３２には、一例として、脳波状態「集中」に適合する音楽プレイリスト（集中プレイリスト）に登録されている音楽に関する情報が表示されている。
【０２１１】
プレイリスト画面１３２には、例えば、集中プレイリストにおいて現在選択されている曲に関連付けられている評価値１３４、その次の曲に関連付けられている評価値１３６、及び、前の曲に関連付けられている評価値１３８が表示されている。評価値１３４，１３６，１３８は、集中度を表わしている。例えば、選択中の曲に関連付けられている集中度は「９１」であり、この曲でよく集中できたことを示すメッセージが表示されている。また、曲に関連する画像や、集中度の大きさに応じた形状を有する画像も表示されている。また、選択中の曲のタイトル「ＡＡＡＡＡＡＡＡＡ」が表示されている。
【０２１２】
また、図２３に示す例と同様に、波形１４０，１４２及び評価値情報１４４が表示されている。これらは、選択中の曲に関連付けられた脳波状態を示す情報である。波形１４０は、「集中度」の時間変化を表わす波形であり、波形１４２は、「リラックス度」を表わす時間変化を表わす波形である。また、評価値情報１４４は、選択された曲中の指定された時点における評価値を示す情報であり、その時点における「集中度」と「リラックス度」を示す。また、図２３に示す例と同様に、プレイリスト評価値１４６が表示されている。
【０２１３】
また、比較結果情報１４８が表示されている。比較結果情報１４８は、脳波状態に対する音楽再生の効果を示す情報の一例に相当し、現時点におけるプレイリスト評価値と、過去の時点におけるプレイリスト評価値と、の比較結果を示す情報である。上述したように、各音楽（曲）には過去に得られた１又は複数の脳波状態が履歴として関連付けられており、その履歴を用いることで、上記の比較が行われる。この比較は、例えばリスト作成部７２によって行われる。例えば、日単位、週単位、月単位、年単位、又は、ユーザよって指定された期間単位で、現時点におけるプレイリスト評価値（例えば、今日のプレイリスト評価値、今週のプレイリスト評価値、今月のプレイリスト評価値、今年のプレイリスト評価値等）と、過去の時点におけるプレイリスト評価値（例えば、昨日のプレイプレイリスト評価値、先週のプレイリスト評価値、先月のプレイリスト評価値、前年のプレイリスト評価値等）と、が比較され、その比較結果を示す情報が表示される。図２４に示す例では、先週よりもプレイリスト評価値が５点上がっている。このように、比較結果を表示することで、ユーザは過去の脳波状態と現在の脳波状態との差異を知ることができるので、楽しみながら本システムを利用することができる。
【０２１４】
また、脳波状態評価部７０は、各音楽について、前回再生時の脳波状態を表わす数値と、今回再生時の脳波状態を表わす数値との差を演算し、リスト作成部７２は、その差に応じて、音楽プレイリスト中の各音楽の再生順位を変更してもよい。その差が、脳波状態に対する音楽再生の効果の一例に相当する。例えば、リスト作成部７２は、数値の増加分が大きい音楽ほど、音楽プレイリスト中の再生順位を上位に設定する。例えば、同一の脳波状態に適合する音楽プレイリスト（例えば集中用の音楽プレイリスト）に含まれる複数の音楽について、数値の増加分が大きい音楽ほど再生順位が上位に設定される。表示制御部７４は、音楽毎に得られた差を示す情報をＵＩ部６６に表示させてもよい。脳波状態評価部７０は、ユーザが希望する脳波状態に関して、各音楽についての上記の差を演算し、リスト作成部７２は、その希望の脳波状態に適合する音楽プレイリスト中の各音楽の再生順位を、その差に応じて変更してもよい。
【０２１５】
また、脳波状態評価部７０は、音楽毎に、聴き始めた時点から希望の脳波状態に遷移するまでに要した時間（遷移時間）を、脳波状態に対する音楽再生の効果の一例として演算してもよい。表示制御部７４は、各音楽についての遷移時間を示す情報をＵＩ部６６に表示させてもよい。また、リスト作成部７２は、遷移時間が短い音楽ほど、音楽プレイリスト中の再生順位を上位に設定する。例えば、同一の脳波状態に適合する音楽プレイリスト（例えば集中用の音楽プレイリスト）に含まれる複数の音楽について、遷移時間が短い音楽ほど再生順位が上位に設定される。これにより、脳波状態に対する効果がより大きい音楽が先に再生されるので、その効果がより小さい音楽を先に再生する場合と比べて、ユーザの脳波状態を希望の脳波状態に遷移させるまでに要する時間が短くなる。脳波状態評価部７０は、ユーザが希望する脳波状態に関して、各音楽についての遷移時間を演算し、リスト作成部７２は、その希望の脳波状態に適合する音楽プレイリスト中の各音楽の再生順位を、その遷移時間に応じて変更してもよい。
【０２１６】
また、脳波状態評価部７０は、音楽毎に、希望の脳波状態を維持し続けた時間の長さ（継続時間の長さ）を、脳波状態に対する音楽再生の効果の一例として演算してもよい。表示制御部７４は、各音楽についての継続時間を示す情報をＵＩ部６６に表示させてもよい。また、リスト作成部７２は、継続時間が長い音楽ほど、音楽プレイリスト中の再生順位を上位に設定する。例えば、同一の脳波状態に適合する音楽プレイリスト（例えば集中用の音楽プレイリスト）に含まれる複数の音楽について、継続時間が長い音楽ほど再生順位が上位に設定される。これにより、脳波状態に対する効果がより大きい音楽が先に再生されるので、その効果がより小さい音楽を先に再生する場合と比べて、希望の脳波状態をより長い時間の間、維持しやすくなる。脳波状態評価部７０は、ユーザが希望する脳波状態に関して、各音楽についての継続時間を演算し、リスト作成部７２は、その希望の脳波状態に適合する音楽プレイリスト中の各音楽の再生順位を、その継続時間に応じて変更してもよい。
【０２１７】
上記のように、脳波状態に対する音楽再生の効果（例えば、プレイリスト評価値の比較結果、各音楽についての数値の差、遷移時間、継続時間）が得られる。ユーザ毎に音楽再生効果が得られるため、複数のユーザの間で、音楽再生効果が共有されてもよいし、音楽再生効果に応じた競争が行われてもよい。例えば、情報処理システムに管理サーバが含まれており、各ユーザの音楽再生効果を示す情報が、各ユーザの端末装置１２から管理サーバに送信される。管理サーバは、各ユーザの音楽再生効果に応じたランキングを各ユーザに対応付けて、各ユーザのランキングを示す情報を、各ユーザの端末装置１２に送信する。各ユーザの端末装置１２のＵＩ部６６には、各ユーザのランキングが表示される。これにより、複数のユーザの間で競争心が生じて、各ユーザは楽しみながら他の本実施形態のシステムを利用することができる。また、各ユーザの音楽再生効果を示す情報は、管理サーバを介して、又は、管理サーバを介さずに、他のユーザの端末装置１２に送信され、端末装置１２のＵＩ部６６に表示されてもよい。これにより、ユーザは、他のユーザについての効果を知ることができるので、楽しみながら本実施形態のシステムを利用することができる。
【０２１８】
また、情報処理システムに含まれる管理サーバに、各ユーザの端末装置１２から各ユーザの脳波状態を示す情報が送信され、管理サーバは、各ユーザの脳波状態を管理、制御してもよい。例えば、管理サーバは、各ユーザの脳波状態を特定の脳波状態に遷移させ又は維持するための音楽を各ユーザの端末装置１２に送信してもよい。例えば、職場において従業員がリラックスできるように、管理サーバは、各従業員の脳波状態を「リラックス」に遷移させ又は維持するための音楽を各ユーザの端末装置１２に送信してもよい。このとき、管理サーバは、個々のユーザの端末装置１２毎に異なる音楽を送信してもよい。
【０２１９】
本実施形態によれば、ユーザの脳波状態を希望の脳波状態に遷移させ又は維持するための音楽が再生されるので、ユーザの希望する状態が得られる音楽を再生することができる。ユーザの希望する状態が得られる音楽は、ユーザ毎に異なる場合がある。本実施形態によれば、脳波状態を評価し、その評価結果を用いて音楽の再生を制御することで、ユーザ毎に、ユーザの希望する状態が得られる音楽を再生することができる。例えば、ユーザの好みに合致する音楽を再生することができる。
【０２２０】
（音楽配信サービスとの連携）
以下、音楽配信サービスとの連携について詳しく説明する。再生制御部７６は、音楽配信サーバ１４から試聴用の音楽データを受けて、その試聴用の音楽を再生する。このときも、イヤフォン装置１０によって脳波が測定され、脳波状態評価部７０によって脳波状態が評価され、その評価結果（例えば数値や波形）が表示される。制御部６８は、試聴用音楽の再生中の脳波状態に基づいて、その音楽をユーザの音楽再生リストに追加するべきか否かを判定する。表示制御部７４は、その判定結果を示す情報をＵＩ部６６に表示させる。例えば、脳波状態を表す数値が閾値以上の場合、追加対象の音楽であると判定され、その旨が表示される。例えば、ある試聴用音楽の再生中、「集中度」が閾値以上となった場合、その音楽は、集中に適した音楽として表示される。つまり、その音楽は、集中用の音楽として推奨される。これにより、ユーザが音楽データを購入するか否かを判断する上で役に立つ情報がユーザに提供される。例えば、ユーザの好みに合致する音楽がユーザに提示される。
【０２２１】
また、脳波状態毎の試聴用音楽が予め用意されており、音楽配信サーバ１４は、ユーザが指定した脳波状態に対応付けられた試聴用の音楽データを端末装置１２に送信し、端末装置１２は、その試聴用音楽を再生してもよい。例えば、試聴用音楽として、集中用音楽、リラックス用音楽等が用意されており、ユーザが脳波状態として「集中」を希望すると、集中用音楽が試聴用音楽として再生される。その再生中、「集中度」が閾値以上になると、試聴中の音楽が当該ユーザの集中度を高める音楽として推奨される。表示制御部７４は、その推奨を示す情報をＵＩ部６６に表示させる。これにより、ユーザにとって、どの音楽が希望の脳波状態を得ることができるのか分り易くなる。
【０２２２】
なお、音楽配信サービスにおいては、脳波状態への音楽再生の効果（例えば、プレイリスト評価値の比較結果、各音楽についての数値の差、遷移時間、継続時間）に応じて、各音楽の価格が変更されてもよい。例えば、その効果が高い音楽ほど価格が上昇してもよい。例えば、各ユーザについての音楽再生の効果を示す情報が、各ユーザの端末装置１２から音楽配信サーバ１４に送信され、音楽配信サーバ１４は、各ユーザについての音楽再生の効果に対して統計処理（例えば単純平均や重み付け平均等）を適用し、その適用で得られた値に応じて、各音楽の価格を決定する。
【０２２３】
本実施形態に係るシステムは、１つの音楽配信サービスと連携してもよいし、複数の音楽配信サービスと連携してもよい。複数の音楽配信サービスと連携する場合、音楽配信サービスを切り替えて各音楽配信サービスを利用できるようにしてもよい。また、複数の音楽配信サービスが統合されて１つの音楽配信サービスが提供される場合には、統合後の１つの音楽配信サービスを利用できるようにしてもよい。
【０２２４】
また、ユーザがイヤフォン装置１０を装着して脳波が測定されるときに、音楽の試聴が可能となってもよい。例えば、その測定で得られた脳波測定結果を示す情報が、端末装置１２から音楽配信サーバ１４に送信されると試聴が可能となり、音楽配信サーバ１４から端末装置１２に試聴用の音楽データが送信されて試聴用の音楽が再生される。これにより、イヤフォン装置１０を利用していない場合にも試聴が可能となる場合と比べて、イヤフォン装置１０の利用が促進される。
【０２２５】
なお、再生制御部７６は、ユーザの脳波状態に応じて、音楽の音量を変えて再生してもよいし、音楽をアレンジして再生してもよいし、音楽の再生スピードを変えてもよい。同じ曲であっても、音量やアレンジやスピードによってユーザが受ける印象が異なり、それによって、脳波状態が変わり得る。再生制御部７６は、音楽再生中のユーザの脳波状態が希望の脳波状態により近くなるように、つまり、希望の脳波状態を表す数値がより高くなるように、再生中の音楽の音量を変えたり、その音楽をアレンジしたり、再生スピードを変えたりする。
【０２２６】
（変形例１）
以下、図２５及び図２６を参照して、音楽再生リストの変形例１について説明する。図２５には、条件入力画面の一例が示されており、図２６には、音楽再生画面の一例が示されている。
【０２２７】
まず、図２５を参照して、条件入力画面について説明する。条件入力画面１５０はＵＩ部６６に表示される画面である。例えば、ユーザが条件入力画面１５０の表示指示を与えると、表示制御部７４は、条件入力画面１５０をＵＩ部６６に表示させる。条件入力画面１５０には、入力欄１５２，１５４が表示されている。入力欄１５２は、「希望の脳波状態」を示す情報を入力するための欄であり、入力欄１５４は、「場所」を示す情報を入力するための欄である。一例として、入力欄１５２には、プルダウン形式で、「希望の脳波状態」の候補の一覧が表示され、入力欄１５４には、プルダウン形式で、「場所」の候補の一覧が表示される。もちろん、ユーザが、希望の脳波状態を示す文字列や場所を示す文字列を直接入力してもよい。図２５に示す例では、「希望の脳波状態」として「集中」が指定されており、その「場所」として「ジャズカフェ」が指定されている。つまり、ユーザの希望は、「ジャズカフェで集中する」ことである。
【０２２８】
表示制御部７４は、指定された希望の脳波状態と場所とに関連付けられた音楽を含む音楽プレイリストをＵＩ部６６に表示させる。図２５に示す例では、その音楽プレイリストに登録されている音楽識別情報（例えば曲タイトル等）が、曲表示欄１５６に表示されている。以下、脳波状態と場所とに関連付けられた音楽について詳しく説明する。
【０２２９】
変形例においては、音楽（曲）と、その音楽の再生中の脳波状態と、その音楽が再生された場所と、が互いに関連付けられる。上記のように、各音楽に脳波状態が関連付けられている。音楽が再生された場所は、例えばＧＰＳ（Global Positioning System）機能によって特定される。例えば、再生装置（例えば端末装置１２）がＧＰＳ機能を備えており、再生装置にて音楽が再生された場合、その再生中の再生装置の位置情報がＧＰＳ機能によって取得され、また、イヤフォン装置１０によって脳波測定結果が得られる。このようにして、音楽と、その音楽を再生している再生装置の位置と、その再生中のユーザの脳波状態と、が得られ、脳波状態評価部７０は、その音楽の音楽識別情報と、その位置を示す情報（位置情報）と、その脳波状態情報と、を関連付けて記憶部６２に記憶させる。これにより、脳波状態と場所が指定されると、その指定された脳波状態と場所とに関連付けられた音楽、つまり、その指定された場所で指定された脳波状態が得られた音楽が特定される。
【０２３０】
リスト作成部７２は、音楽識別情報と位置情報と脳波状態情報との関連付けに従って、脳波状態毎及び場所毎の音楽プレイリストを作成する。表示制御部７４は、指定された脳波状態と場所とに関連付けられた音楽を含む音楽プレイリストをＵＩ部６６に表示させる。図２５に示す例では、「希望の脳波状態」として「集中」が指定されており、その「場所」として「ジャズカフェ」が指定されているので、表示制御部７４は、脳波状態「集中」と場所「ジャズカフェ」とが関連付けられた音楽を含む音楽プレイリストをＵＩ部６６に表示させる。この音楽プレイリストは、ジャズカフェで集中するのに適したリストと言える。
【０２３１】
なお、音楽と、場所と、その場所でその音楽を再生することで得られると推測される脳波状態と、が予め関連付けられた初期音楽プレイリストが予め作成されて、その初期音楽プレイリストが用いられてもよい。この場合、表示制御部７４は、指定された脳波状態と場所とに関連付けられた初期音楽プレイリストをＵＩ部６６に表示させる。
【０２３２】
条件入力画面１５０には、再生ボタン画像１５８が表示されており、その再生ボタン画像１５８がユーザによって押されると、画面が、図２６に示されている音楽再生画面１６０に遷移する。音楽再生画面１６０は、上記のようにして選択された音楽プレイリスト（例えば、ジャズカフェで集中するのに適した音楽プレイリスト）に含まれる音楽を再生するための画面である。音楽再生画面１６０には、例えば、再生対象の曲に関連付けられた脳波状態を示す情報１６２が表示される。その情報１６２は、例えば、数値に応じた形状を有する画像である。音楽再生画面１６０には、再生ボタン画像１６４が表示されており、その再生ボタン画像１６４がユーザによって押されると、再生対象の曲が再生される。
【０２３３】
なお、音楽再生画面１６０には、脳波状態を表わすボタン画像１６６，１６８が表示されており、ユーザがボタン画像を押すと、表示制御部７４は、そのボタン画像に紐付く脳波状態用の音楽プレイリストをＵＩ部６６に表示させる。ボタン画像１６６は脳波状態「集中」に紐付く画像であり、ボタン画像１６８は脳波状態「リラックス」に紐付く画像である。図２５及び図２６に示す例では、脳波状態として「集中」が指定されている。この状態で、ユーザによってボタン画像１６８が押されると、表示制御部７４は、脳波状態「リラックス」と場所「ジャズカフェ」とが関連付けられた音楽を含む音楽プレイリストをＵＩ部６６に表示させる。このようにして、希望の脳波状態が切り替えられるようにしてもよい。
【０２３４】
変形例１によれば、ユーザによって指定された場所で、ユーザの脳波状態を希望の脳波状態に遷移させ又は維持することができる音楽が再生される。
【０２３５】
なお、再生制御部７６は、位置情報を利用することで、ユーザの現在の場所に適合する音楽を再生してもよい。例えば、端末装置１２によって当該端末装置１２の現在の位置情報が取得され、再生制御部７６は、ユーザが希望する脳波状態とその位置とに関連付けられた音楽を再生する。例えば、デスクワークに適した音楽や、屋外での作業に適した音楽、等が再生される。
【０２３６】
図２５に示す例では、希望の脳波状態と場所の両方がユーザによって指定されているが、いずれか一方のみがユーザによって指定されてもよい。この場合、表示制御部７４は、その一方に適合する音楽プレイリストをＵＩ部６６に表示させる。例えば、表示制御部７４は、希望の脳波状態がユーザによって指定された場合、その希望の脳波状態が関連付けられている音楽が登録された音楽プレイリストをＵＩ部６６に表示させ、場所がユーザによって指定された場合、その場所が関連付けられている音楽が登録された音楽プレイリストをＵＩ部６６に表示させる。
【０２３７】
（変形例２）
以下、図２７を参照して変形例２について説明する。図２７には、リスト選択画面の一例が示されている。
【０２３８】
変形例２では、他のユーザの音楽プレイリストが表示されてもよい。図２７には、その表示例が示されている。ユーザが音楽プレイリストの表示指示を与えると、表示制御部７４は、音楽プレイリストが表示されるリスト選択画面１７０をＵＩ部６６に表示させる。図２７に示す例では、リスト選択画面１７０に、「マイベスト」という音楽プレイリストと、「レコメンデーション」という音楽プレイリストと、「・・・セレクション」という音楽プレイリストと、が表示されている。これらの音楽プレイリストは、ユーザの希望の脳波状態に関連付けられた音楽（曲）によって構成されたリストである。「マイベスト」リストは、ユーザ自身が選択した音楽を含むリストである。「レコメンデーション」リストは、他のユーザが推奨するリストである。「・・・セレクション」リストは、特定の職種、業種、性別、年齢等のユーザが選んだ音楽を含むリストである。また、有名人のリストが作成され、そのリストが表示されてもよい。
【０２３９】
例えば、音楽プレイリストは、端末装置１２から音楽配信サーバ１４にマニュアル操作で又は自動的にアップロードされる。これにより、各ユーザの音楽プレイリスト（例えば、脳波状態毎の音楽プレイリストや、各ユーザ自身が選んだ音楽を含む音楽プレイリスト等）が、音楽配信サーバ１４に送られて音楽配信サーバ１４にて管理される。
【０２４０】
例えば、ユーザが希望の脳波状態を指定すると、その希望の脳波状態を示す情報が端末装置１２から音楽配信サーバ１４に送信され、音楽配信サーバ１４は、その希望の脳波状態に適合する音楽プレイリストを示すデータを端末装置１２に送信する。その音楽プレイリストは、上記のように、他のユーザが推奨する音楽プレイリスト等である。
【０２４１】
ユーザがリスト選択画面１７０上で音楽プレイリストを選択して再生ボタン画像を押すと、その音楽プレイリストに含まれる曲が再生される。
【０２４２】
変形例２によれば、他のユーザの音楽プレイリストに従って音楽を再生することができるので、自己の音楽プレイリストのみを用いる場合と比べて、音楽プレイリストの選択肢が広がる。
【０２４３】
なお、リスト選択画面１７０には、脳波状態を表わすボタン画像１７２，１７４が表示されており、ユーザがボタン画像を押すと、表示制御部７４は、そのボタン画像に紐付く脳波状態用の音楽プレイリストをＵＩ部６６に表示させる。ボタン画像１７２は脳波状態「集中」に紐付く画像であり、ボタン画像１７４は脳波状態「リラックス」に紐付く画像である。図２７に示す例では、脳波状態として「集中」が指定されている。この状態で、ユーザによってボタン画像１７４が押されると、表示制御部７４は、脳波状態「リラックス」が関連付けられた音楽を含む音楽プレイリストをＵＩ部６６に表示させる。このようにして、希望の脳波状態が切り替えられるようにしてもよい。
【０２４４】
また、変形例１と同様に、ユーザによって希望の脳波状態と場所が指定された場合、その希望の脳波状態と場所に適合する音楽プレイリストが表示されてもよい。
【０２４５】
（その他の実施形態）
以下、他の実施形態について説明する。ユーザが端末装置１２を用いてイヤフォン装置１０との接続を指示すると、端末装置１２は例えば近距離無線通信（例えばブルートゥース）によってイヤフォン装置１０と通信を行い、これにより、イヤフォン装置１０と端末装置１２とが近距離無線通信によって接続される。ユーザがイヤフォン装置１０を装着すると、イヤフォン装置１０によって脳波が測定される。図２８には、そのときに端末装置１２のＵＩ部６６に表示される脳波表示画面の一例が示されている。脳波表示画面１７６には、イヤフォン装置１０に紐付く画像１７８、イヤフォン装置１０が端末装置１２に接続された旨を示すメッセージ、脳波の測定結果（例えば、集中度：１８％、リラックス度：７２％）等が表示される。この状態で、上述したように、音楽が再生されると、再生中の脳波が測定される。このとき、例えば図２１や図２２に示されている画面が端末装置１２のＵＩ部６６に表示される。例えば、１又は複数の試聴用の音楽が再生されると、音楽毎に脳波が測定され、その測定結果が記録される。
【０２４６】
また、脳波の測定状態を示す情報が表示されてもよい。図２９には、その表示例画示されている。脳波表示画面１８０は、上記の脳波表示画面１７６と同様に、端末装置１２のＵＩ部６６に表示される。脳波表示画面１８０には、イヤフォン装置１０に紐付く画像１７８と共に、脳波の測定状態を表わす画像としてのマーク１８２が表示されている。表示制御部７４は、脳波の測定状態に応じて、そのマーク１８２の表示形態（例えば、色、形状、大きさ等）を変える。図２９に示す例では、脳波の測定状態に応じて、マーク１８２の色が変化する。例えば、脳波が正常に測定されている場合、マーク１８２は緑色で表示される。脳波が正常に測定されていない場合、マーク１８２は赤色で表示される。イヤフォン装置１０が端末装置１２に接続されていない場合（例えば、ブルートゥースで接続する場合、イヤフォン装置１０と端末装置１２がペアリングされていない場合）、マーク１８２は点灯せずに表示される。例えば、脳波測定結果としての電位差がノイズレベル（例えば閾値未満）に該当する場合、脳波が正常に測定されていないとして、マーク１８２が赤色で表示され、その電位差が閾値以上に該当する場合、脳波が正常に測定されているとして、マーク１８２が緑色で表示される。このように、脳波の測定状態を示す情報を表示することで、ユーザはイヤフォン装置１０の装着位置を修正することができ、その結果、より正確に脳波状態を測定することができる。
【０２４７】
図３０には、脳波測定結果の表示例が示されている。測定結果画面１８４は、脳波測定後や測定中等に端末装置１２のＵＩ部６６に表示される。測定結果画面１８４には、一例として、脳波状態を表わす数値が予め定められた閾値以上継続した時間が示されている。その閾値は、一例として５０％である。もちろん、この値は一例に過ぎず、別の値が用いられてもよいし、ユーザが任意の値を設定してもよい。図２９に示す例では、５０％以上の集中度が継続した時間は「１５秒」であり、５０％以上のリラックス度が継続した時間は「２７秒」である。これらの値は、例えば音楽や動画の再生中に測定された結果であってもよいし、音楽や動画を再生せずに測定された結果であってもよい。
【０２４８】
以下、図３１を参照して、音楽を音楽プレイリストに追加するときの操作の一例について説明する。図３１には、音楽表示画面の一例が示されている。音楽表示画面１８６は、端末装置１２のＵＩ部６６に表示される。その音楽表示画面１８６には、ユーザによって指定された音楽に関する情報が表示されてもよいし、ランダムに選択された音楽に関する情報が表示されてもよい。また、再生等を指示するための画像が表示されてもよい。音楽表示画面１８６に音楽が表示されている状態で、ユーザがいわゆるフリック操作を行うことで、その音楽が音楽プレイリストに追加される、又は、音楽プレイリストから除外される。例えば、ユーザが音楽表示画面１８６上で、指やスタイラス等の指示子を矢印１８８の方向（プレイリスト追加に紐付けられた方向）へ素早く動かすと、表示中の音楽が音楽プレイリストに追加され、指示子を矢印１９０の方向（プレイリスト除外に紐付けられた方向）へ素早く動かすと、表示中の音楽が音楽プレイリストから除外される。例えば、ユーザが、音楽プレイリストに紐付く脳波状態を指定し、上記の操作を行うことで、その脳波状態に紐付く音楽プレイリストへの音楽の追加、又は、音楽プレイリストからの音楽の除外が行われる。図３１に示す例では、脳波状態として「集中」が指定されている。ユーザが矢印１８８の方向へフリック操作を行うと、表示中の音楽が「集中用の音楽プレイリスト」に追加され、ユーザが矢印１９０の方向へフリック操作を行うと、表示中の音楽が「集中用の音楽プレイリスト」から除外される。他の脳波状態（例えばリラックス）に紐付く音楽プレイリストについても同様に、音楽が追加又は除外される。このような簡単な操作で音楽プレイリストを編集することができる。
【０２４９】
また、音楽プレイリストも、上記のようなフリック操作によって、脳波状態に紐付けてもよい。図３２を参照して、この操作について説明する。図３２には、プレイリスト画面の一例が示されている。プレイリスト画面１９２は、端末装置１２のＵＩ部６６に表示される。プレイリスト画面１９２には、例えば、ユーザによって指定された音楽プレイリストに関する情報（例えば、音楽プレイリストの名称等）や、音楽配信サービスから提供された音楽プレイリストに関する情報が表示される。また、再生等を指示するための画像が表示されてもよい。プレイリスト画面１９２に音楽プレイリストが表示されている状態で、ユーザがフリック操作を行うことで、その音楽プレイリストに脳波状態が紐付けられる。その紐付けは、リスト作成部７２によって行われる。例えば、ユーザがプレイリスト画面１９２上で、指示子を矢印１９４の方向（リラックスに紐付く方向）へ素早く動かすと、表示中の音楽プレイリストに脳波状態としての「リラックス」が紐付けられる。この場合、その音楽プレイリストは、リラックス用の音楽プレイリストとして登録される。また、ユーザが指示子を矢印１９６の方向（集中に紐付く方向）へ素早く動かすと、表示中の音楽プレイリストに脳波状態としての「集中」が紐付けられる。この場合、その音楽プレイリストは、集中用の音楽プレイリストとして登録される。このような簡単な操作で、音楽プレイリストに脳波状態を紐付けることができる。もちろん、同様の操作で、音楽に脳波状態を紐付けてもよい。例えば、音楽に関する情報が表示されている状態で、矢印１９４の方向にフリック操作が行われた場合、その音楽に脳波状態としての「リラックス」が紐付けられる。
【０２５０】
上述した実施形態において、イヤフォン装置１０から耳に刺激が与えられてもよい。その刺激は、上記の音楽であってもよいし、人の可聴域以外の音（例えば超音波）であってもよいし、振動であってもよいし、熱であってもよい。その刺激が、上記の音楽と同様に、脳波の測定結果に応じて変更されてもよい。例えば、リラックス用の刺激（音楽、超音波、振動等）や集中用の刺激がイヤフォン装置１０から耳に与えられてもよい。例えば、ユーザによってリラックスの指示が与えられた場合、リラックス効果が得られる第１周波数帯の音波がイヤフォン装置１０から発せられ、集中の指示が与えられた場合、集中効果が得られる第２周波数帯の音波がイヤフォン装置１０から発せられる。また、測定された脳波に応じて、リラックス効果が得られる音波や集中効果が得られる音波がイヤフォン装置１０から発せられてもよい。
【０２５１】
また、上述した実施形態では、第１脳波測定装置、第２脳波測定装置及び脳波測定システムは、イヤフォン装置１０によって構成されているが、音を発する機能を備えていなくてもよいし、イヤフォン装置１０以外のヒアラブルデバイスによって構成されてもよい。
【０２５２】
本実施形態に係るヒアラブルデバイスに光源が設けられており、測定された脳波に応じて光源から光が発せられてもよい。測定された脳波の状態に応じて、異なる色の光（例えば可視光）が発生されてもよい。例えば、リラックスを示す脳波が測定された場合、第１色の光（例えば青色の光）が光源から発せられ、集中を示す脳波が測定された場合、第２色（例えば緑色の光）が光源から発せされ、緊張を示す脳波が測定された場合、第３色（例えば赤色の光）が光源から発せられる。脳波の状態を表す色の光を発生させることで、脳波の状態がユーザに提供される。もちろん、光源はヒアラブルデバイス自体に設けられていなくてもよい。この場合、ヒアラブルデバイスによって測定された脳波を示す情報が、ヒアラブルデバイスから光源に送信され、その脳波の状態に応じた色の光が光源から発せされる。
【０２５３】
（脳波測定に関する他の実施形態）
以下、脳波測定に関する他の実施形態について説明する。以下では説明の便宜上、第１脳波測定手段としての第１左脳波センサ２６Ｌを「電極Ａ」と称し、第２脳波測定手段としての第２左脳波センサ２８Ｌを「電極Ｂ」と称し、第３脳波測定手段としての第１右脳波センサ２６Ｒを「電極Ｃ」と称し、第４脳波測定手段としての第２右脳波センサ２８Ｒを「電極Ｄ」と称することとする。図３３は、その対応関係が反映された図である。以下においてはイヤフォン装置１０を例に挙げて説明するが、イヤフォン装置１０以外のヒアラブルデバイスに本実施形態が適用されてもよい。
【０２５４】
脳波測定においては、上記の電極Ａ，Ｂ，Ｃ，Ｄを含む電極群の中の少なくとも２つの電極を用いて脳波が測定される。例えば、端末装置１２の制御部６８は、電極Ａ，Ｂ，Ｃ，Ｄによって検知された電位に基づいて、電極群の中から少なくとも２つの電極を選択し、その選択された少なくとも２つの電極によって検知された電位に基づいて脳波を測定する。もちろん、イヤフォン装置１０の制御部５８Ｌ又は制御部５８Ｒが、電極Ａ，Ｂ，Ｃ，Ｄによって検知された電位に基づいて、電極群の中から少なくとも２つの電極を選択し、その選択された少なくとも２つの電極によって検知された電位に基づいて脳波を測定してもよい。以下では、端末装置１２の制御部６８が、電極の選択を行うものとする。
【０２５５】
例えば、２つの電極を用いて脳波を測定する第１測定モード、又は、３つの電極を用いて脳波を測定する第２測定モードのいずれかのモードが選択されて脳波が測定される。測定モードは、ユーザによって選択されてもよいし、脳波の測定状況（例えば後述するようにノイズ量）に応じて選択されてもよいし、電池の残容量に応じて選択されてもよい。この選択について後で詳しく説明する。
【０２５６】
第１測定モードでは、電極群の中から選択された１つの電極が脳波検知用電極としてのセンサ電極として用いられ、電極群の中から選択された別の１つの電極が基準用電極としてのグランド電極として用いられる。この場合、センサ電極によって検知された電位とグランド電極によって検知された電位との間の電位差に基づいて脳波が演算される。その電位差に基づいて脳波を演算する処理は、端末装置１２の制御部６８によって行われる。もちろん、電極の選択処理と脳波演算処理は、イヤフォン装置１０の制御部５８Ｌ又は制御部５８Ｒによって行われてもよい。例えば、制御部６８は、電極Ａ，Ｂ，Ｃ，Ｄのそれぞれによって検知された電位を互いに比べることで、電極群の中からセンサ電極に適した電極とグランド電極に適した電極を選択する。
【０２５７】
第２測定モードでは、電極群の中から選択された１つの電極がセンサ電極として用いられ、電極群の中から選択された別の１つの電極が参照用電極としてのレファレンス電極として用いられ、電極群の中から選択された更に別の１つの電極がグランド電極として用いられる。この場合、センサ電極、レファレンス電極及びグランド電極によって検知された電位に基づいて脳波が演算される。例えば、グランド電極を基準として、センサ電極によって検知された電位とレファレンス電極によって検知された電位との間の電位差に基づいて脳波が演算される。例えば、制御部６８は、電極Ａ，Ｂ，Ｃ，Ｄのそれぞれによって検知された電位を互いに比べることで、電極群の中からセンサ電極に適した電極、レファレンス電極に適した電極、及び、グランド電極に適した電極を選択する。
【０２５８】
センサ電極に適した電極は、脳波に相当する電位を検知した電極であり、例えば、予め定められたセンサ電位閾値以上の電位を検知した電極や、脳波に相当する電位の波形に類似する波形を有する電位を検知した電極が、センサ電極として選択される。また、グランド電極に適した電極は、例えば、予め定められたグランド電位閾値未満の電位を検知した電極や、変動が小さく値も小さい電位を検知した電極が、グランド電極として選択される。また、例えば、センサ電極によって検知された電位よりも小さく、グランド電極によって検知された電位よりも大きい電位を検知した電極がレファレンス電極として選択される。
【０２５９】
図３４には、典型的な電位の波形が示されている。波形１９８は、脳波に相当する電位を表す波形である。このような波形を検知した電極がセンサ電極として用いられる。例えば、センサ電位閾値以上のピーク電位の検知回数（例えば単位時間当たりの検知回数）が予め定められた回数閾値以上となる波形が、脳波に相当する電位を表す波形に該当する。波形２００は、グランド電位を表わす波形である。このような波形を検知した電極がグランド電極として用いられる。例えば、検知された電位がグランド電位閾値未満となる波形が、グランド電位を表す波形に該当する。波形２０２は、レファレンス電位を表す波形である。このような波形を検知した電極がレファレンス電極として用いられる。例えば、検知された電位がグランド電位閾値以上であり、センサ電位閾値以上のピーク電位の検知回数が回数閾値未満となる波形が、レファレンス電位を表す波形に該当する。
【０２６０】
なお、センサ電極の条件を満たす複数の電極が存在する場合、それら複数の電極の中から選択された１つの電極がセンサ電極として用いられる。例えば、当該複数の電極の中からユーザによってセンサ電極が選択されてもよいし、当該複数の電極の中で、ノイズと推測される波形が最も少ない電位を検知した電極がセンサ電極として選択されてもよいし、当該複数の電極の中から自動的にかつランダムに１つの電極がセンサ電極として選択されてもよい。同様に、グランド電極の条件を満たす複数の電極が存在する場合、それら複数の電極の中から選択された１つの電極がグランド電極として用いられる。ユーザによってグランド電極が選択されてもよいし、自動的にかつランダムにグランド電極が選択されてもよいし、ノイズが最も少ない電位を検知した電極がグランド電極として選択されてもよい。同様に、レファレンス電極の条件を満たす複数の電極が存在する場合、それら複数の電極の中から選択された１つの電極がレファレンス電極として用いられる。ユーザによってグランド電極が選択されてもよいし、自動的にかつランダムにグランド電極が選択されてもよいし、ノイズが最も少ない電位を検知した電極がグランド電極として選択されてもよい。
【０２６１】
第１測定モードにおいては、波形１９８が示す電位（センサ電極の電位）と波形２００が示す電位（グランド電極の電位）との間の電位差が演算され、その電位差に基づいて脳波が演算される。第２測定モードにおいては、波形１９８が示す電位（センサ電極の電位）と波形２０２が示す電位（レファレンス電極の電位）との間の電位差が演算され、その電位差に基づいて脳波が演算される。この演算処理は、端末装置１２の制御部６８によって行われてもよいし、イヤフォン装置１０の制御部５８Ｌ又は制御部５８Ｒによって行われてもよい。
【０２６２】
以下、図３５を参照して、センサ電極によって検知された波形１９８にノイズが発生している場合の処理について説明する。波形１９８中の波形２０４，２０６は、ノイズと推測される波形である。例えば、ピーク電位がセンサ電位閾値未満であり、かつ、予め定められたノイズ下限閾値以上の波形は、ノイズに相当する波形であると判断される。波形２０４は、その条件を満たす波形である。また、ピーク電位がノイズ上限閾値（センサ電位閾値より大きい値）以上の波形は、ノイズに相当する波形であると判断される。波形２０６は、その条件を満たす波形である。ノイズの検知は、端末装置１２の制御部６８によって行われてもよいし、イヤフォン装置１０の制御部５８Ｌ又は制御部５８Ｒによって行われてもよい。レファレンス電極によって検知された波形２０２にも、波形２０４に対応する波形２０８と、波形２０６に対応する波形２１０が含まれている。波形２０８，２１０もノイズの条件を満たす波形であり、ノイズとして検知されている。
【０２６３】
第２測定モードにおいては、波形１９８が示す電位（センサ電極の電位）と波形２０２が示す電位（レファレンス電極の電位）との間の電位差が演算され、その電位差に基づいて脳波が演算される。これにより、波形１９８と波形２０２との間でノイズが相殺されるので、ノイズが除去又は低減された電位差に基づいて脳波が演算される。一方、第１測定モードによれば、波形１９８が示す電位と波形２００が示す電位との間の電位差に基づいて脳波が演算されるので、ノイズの影響を受けた脳波が得られることになる。このように、第２測定モードによれば、ノイズが除去又は低減された脳波が得られる。
【０２６４】
ユーザが第１測定モード又は第２測定モードのいずれかを選択してもよいし、上記のように、センサ電極によって検知された電位にノイズが含まれている場合、第２測定モードが選択されてもよい。また、ノイズ量が閾値以上となる場合（例えば、単位時間当たりにおいてノイズとして検知された波形の数が閾値以上となる場合）、第２モードが選択されてもよい。モードの選択は、端末装置１２の制御部６８によって行われてもよいし、イヤフォン装置１０の制御部５８Ｌ又は制御部５８Ｒによって行われてもよい。
【０２６５】
電極群の中から複数の仮センサ電極が選択され、当該複数の仮センサ電極の中から１つのセンサ電極が選択されてもよい。例えば、２つの電極が、上記のセンサ電極の条件を満たす電位を検知した場合、それら２つの電極は仮センサ電極として選択され、それら２つの電極の中からセンサ電極が選択される。例えば、一方の仮センサ電極によって検知された電位の波形に、ノイズと推測される波形が含まれており、他方の仮センサ電極によって検知された電位の波形には、ノイズと推測される波形が含まれていない場合、当該他方の仮センサ電極がセンサ電極として選択される。また、すべての仮センサ電極によって検知された電位の波形に、ノイズと推測される波形が含まれている場合、ノイズ量が最も少ない波形を検知した仮センサ電極がセンサ電極として選択される。例えば、単位時間当たりにおいてノイズとして検知された波形の数が最も少ない仮センサ電極がセンサ電極として選択される。
【０２６６】
図３６を参照して、複数の仮センサ電極からセンサ電極を選択する処理について詳しく説明する。波形２１２は、例えば電極Ａによって検知された電位を示す波形であり、波形２１４は、例えば電極Ｃによって検知された電位を示す波形であるとする。波形２１２，２１４は、センサ電位閾値以上の電位を示す波形であり、電極Ａ，Ｃは、上記のセンサ電極の条件を満たす電極である。この場合、電極Ａ，Ｃは仮センサ電極として識別される。また、波形２１４には、波形２１６が含まれている。この波形２１６は、波形２１２には含まれておらず、また、上記のノイズの条件（電位がセンサ電位閾値未満、かつ、ノイズ下限閾値以上）を満たす波形である。この場合、波形２１２を検知した電極Ａがセンサ電極として選択され、波形２１４を検知した電極Ｃはセンサ電極として選択されない。そして、電極Ａによって検知された電位と、グランド電極として選択された別の電極によって検知された電位と、の間の電位差が演算され、その電位差に基づいて脳波が演算される。
【０２６７】
図３７には別のノイズの例が示されている。波形２１８は、例えば電極Ｃによって検知された電位を示す波形である。波形２１４，２１８は、センサ電位閾値以上の電位を示す波形であり、電極Ａ，Ｃは、上記のセンサ電極の条件を満たす電極であり、仮センサ電極として識別されている。また、波形２１８には、波形２２０が含まれている。この波形２２０は、波形２１２には含まれておらず、また、上記のノイズの条件（電位がノイズ上限閾値以上）を満たす波形である。この場合、波形２１２を検知した電極Ａがセンサ電極として選択され、波形２１８を検知した電極Ｃはセンサ電極として選択されない。そして、電極Ａによって検知された電位と、グランド電極として選択された別の電極によって検知された電位と、の間の電位差が演算され、その電位差に基づいて脳波が演算される。
【０２６８】
上記のように複数の仮センサ電極からセンサ電極を選択することで、よりノイズが少ない電位を検知する電極がセンサ電極として用いられる。それ故、ノイズがより多い電位を検知する電極がセンサ電極として用いられる場合と比較して、脳波測定の精度が向上する。
【０２６９】
例えば、脳波測定アプリケーションの起動時や、脳波測定装置としてのイヤフォン装置１０の起動時や、端末装置１２の起動時に、キャリブレーションが行われて、電極群の中から脳波測定に用いられる複数の電極が選択されてもよい。このキャリブレーションにおいて、電極Ａ，Ｂ，Ｃ，Ｄのそれぞれによって電位が検知され、その検知結果に基づいて、電極群の中からセンサ電極、グランド電極及びレファレンス電極が選択される。また、ノイズ量に応じて、第１測定モード又は第２測定モードが選択されてもよい。ノイズが検知されない場合や、検知されたノイズ量が閾値未満の場合（例えば単位時間当たりにおいてノイズとして検知された波形の数が閾値未満の場合）、第１測定モードが選択され、ノイズが検知された場合や、検知されたノイズ量が閾値以上の場合（例えば単位時間当たりにおいてノイズとして検知された波形の数が閾値以上の場合）、第２測定モードが選択されてもよい。なお、電極の選択や測定モードの選択は、脳波を測定している間に行われてもよい。例えば、予め定められた単位時間毎に上記のキャリブレーションが実行され、そのキャリブレーションの結果に従って、脳波測定に用いられる電極や測定モードが変更されてもよい。
【０２７０】
なお、第２測定モードによればレファレンス電極が用いられるので、レファレンス電極を用いない第１測定モードと比較して、脳波測定の精度が向上する。一方、第１測定モードによれば、レファレンス電極を用いずに２つの電極によって脳波が測定されるので、３つの電極を用いる第２測定モードと比較して、電力の消費が抑制される。
【０２７１】
脳波測定装置に設けられている電池の残容量に基づいて測定モードが選択されてもよい。例えば、イヤフォン装置１０に設けられている電池の残容量が予め定められた閾値未満の場合、第１測定モードが選択され、残容量が閾値以上の場合、第２測定モードが選択される。この選択は、端末装置１２の制御部６８によって行われてもよいし、イヤフォン装置１０の制御部５８Ｌ又は制御部５８Ｒによって行われてもよい。残容量が閾値未満の場合に、第２測定モードよりも電力の消費量が少ない第１測定モードが選択されることで、残容量の減少が抑制される。
【０２７２】
なお、ユーザの選択によらないで選択された測定モードがユーザに提示（推奨）されてもよい。例えば、脳波の測定状況（例えばノイズ量）や電池の残容量に基づいて選択された第１測定モード又は第２測定モードを示す情報が、端末装置１２のＵＩ部６６に表示される。
【０２７３】
また、電極Ａ，Ｂ，Ｃ，Ｄのそれぞれと生体との接触状況に応じて、電極群の中から脳波測定用の複数の電極（センサ電極、グランド電極、レファレンス電極）が選択されてもよい。接触状況は、例えば、圧力センサ及び湿度センサの中の少なくとも１つを用いて検知される。
【０２７４】
例えば、電極Ａ，Ｂ，Ｃ，Ｄのそれぞれに圧力センサが設置され、生体表面に対する各電極の圧力が接触状況として検知される。圧力が高いほど、電極と生体表面との間の密着度が高いと推定される。検知された圧力が最も高い電極がセンサ電極として選択される。第１測定モードが選択されている場合、検知された圧力が２番目に高い電極がグランド電極として選択される。第２測定モードが選択されている場合、検知された圧力が２番目に高い電極がレファレンス電極として選択され、検知された圧力が３番目に高い電極がグランド電極として選択される。圧力に基づく電極の選択は、端末装置１２の制御部６８によって行われてもよいし、イヤフォン装置１０の制御部５８Ｌ又は制御部５８Ｒによって行われてもよい。上記のように圧力に基づいて電極を選択することで、生体表面との間の密着度がより高い電極がセンサ電極として用いられるので、その密着度がより低い電極をセンサ電極として用いる場合と比べて、脳波の測定精度が向上する。
【０２７５】
また、電極Ａ，Ｂ，Ｃ，Ｄのそれぞれに湿度センサが設置され、各位置における湿度が接触状況として検知されてもよい。湿度が高いほど、電極と生体表面との間の密着度が高いと推定される。検知された湿度が最も高い電極がセンサ電極として選択される。第１測定モードが選択されている場合、検知された湿度が２番目に高い電極がグランド電極として選択される。第２測定モードが選択されている場合、検知された湿度が２番目に高い電極がレファレンス電極として選択され、検知された湿度が３番目に高い電極がグランド電極として選択される。湿度に基づく電極の選択は、端末装置１２の制御部６８によって行われてもよいし、イヤフォン装置１０の制御部５８Ｌ又は制御部５８Ｒによって行われてもよい。上記のように湿度に基づいて電極を選択することで、生体表面との間の密着度がより高い電極がセンサ電極として用いられるので、その密着度がより低い電極をセンサ電極として用いる場合と比べて、脳波の測定精度が向上する。
【０２７６】
なお、圧力と湿度のいずれか一方に基づいて電極が選択されてもよいし、圧力と湿度の両方に基づいて電極が選択されてもよい。例えば、圧力と湿度の両方が用いられる場合、検知された圧力と湿度が最も高い電極が、センサ電極として選択され、検知された圧力と湿度が最も低い電極が、グランド電極として選択され、その中間の電極がレファレンス電極として選択される。別の例として、検知された圧力の高さの順位と湿度の高さの順位との合計が最も小さい電極が、センサ電極として選択され、その合計が最も大きい電極がグランド電極として選択され、その中間の電極がレファレンス電極として選択されてもよい。なお、最も高い圧力、湿度の順位が１位である。圧力の順位と湿度の順位に対して重み付け加算処理が適用されて、その適用結果に基づいて電極が選択されてもよい。
【０２７７】
接触状況に基づく電極の選択は、キャリブレーションとして起動時に行われてもよいし、予め定められた単位時間毎に行われてもよい。
【０２７８】
なお、電位が正確に検知されているか否かの判断は、予め定められた人体電位の設定値や、電位測定の履歴等に基づいて行われてもよい。
【０２７９】
以下、キャリブレーション実行時にＵＩ部６６に表示される情報について説明する。
【０２８０】
キャリブレーション時においては、図３８に示すように、端末装置１２の制御部６８は、キャリブレーション用の画面２２２をＵＩ部６６に表示させる。画面２２２には、イヤフォン装置１０に紐付く画像２２４が表示される。画像２２４は、イヤフォン装置１０を撮影することで生成された画像であってもよいし、イヤフォン装置１０を模式的に表す画像（例えばアイコン）であってもよい。画像２２４において電極を表す部分に、丸枠等の形状を有するマーク２２６，２２８，２３０，２３２が表示される。
【０２８１】
ユーザが画像２２４上で電極を指定すると、制御部６８は、ユーザによって指定された電極による電位の測定状況を示す情報をＵＩ部６６に表示させる。制御部６８は、例えば、電位の測定結果に対する評価を示す情報をＵＩ部６６に表示させてもよい。その評価は、端末装置１２の制御部６８によって行われてもよいし、イヤフォン装置１０の制御部５８Ｌ又は制御部５８Ｒによって行われてもよい。例えば、波形に含まれるノイズ量、検知された圧力、湿度、波形の形状、波形の明確性等に基づいて、測定結果が評価される。その評価は、例えば測定結果についての順位であり、図３９に示すように、その順位（１位〜４位）を示す情報が画面２２２に表示される。例えば、センサ電極に適していると判断された電極の順位は１位であり、レファレンス電極に適していると判断された電極の順位は２位であり、グランド電極に適していると判断された電極の順位は３位又は４位である。
【０２８２】
ユーザは、電極の順位を参照にして、センサ電極として用いられる電極、及び、グランド電極として用いられる電極を選択してもよい。第２測定モードが選択された場合、ユーザは、更に、レファレンス電極として用いられる電極を選択する。ユーザによって選択された電極を用いて脳波が測定される。
【０２８３】
また、制御部６８は、上記の順位に基づいて、脳波測定に用いられる複数の電極を提示（推奨）してもよい。例えば、制御部６８は、１位の電極がセンサ電極に適していることを示す情報や、３位や４位の電極がグランド電極に適していることを示す情報等をＵＩ部６６に表示させる。ユーザは、その情報を参照にして、脳波測定に用いられる電極を選択してもよい。
【０２８４】
制御部６８は、電極によって検知された電位の波形をＵＩ部６６に表示させてもよい。図４０には、その表示例が示されている。画面２２２には、電極によって検知された電位の波形２３３が表示されており、更に評価を示す情報が表示されている。制御部６８は、ユーザによって選択された電極によって検知された電位の波形をＵＩ部６６に表示させてもよいし、各電極によって検知された電位の波形を順番にＵＩ部６６に表示させてもよい。
【０２８５】
また、図４１に示すように、ノイズに相当する波形２３４が波形２３３に含まれている場合、制御部６８は、ノイズが含まれていることを示す情報をＵＩ部６６に表示させてもよい。このとき、制御部６８は、別の電極を使用することを推奨したり、第２測定モードの実行を推奨したりしてもよい。
【０２８６】
以下、電極（脳波センサ）の設定について説明する。
【０２８７】
電極の設定時においては、図４２に示すように、端末装置１２の制御部６８は、電極設定用の画面２３６をＵＩ部６６に表示させる。画面２３６には、イヤフォン装置１０に紐付く画像２２４が表示されている。また、図３８と同様に、マーク２２６，２２８，２３０，２３２が表示されている。
【０２８８】
画面２３６において、ユーザによって電極が選択される。第１測定モードが実行される場合、ユーザは、電極Ａ，Ｂ，Ｃ，Ｄの中から２つの電極（センサ電極とグランド電極）を選択する。第２測定モードが実行される場合、ユーザは、電極Ａ，Ｂ，Ｃ，Ｄの中から３つの電極（センサ電極、レファレンス電極、グランド電極）を選択する。
【０２８９】
また、図４３に示すように、制御部６８は、推奨情報をＵＩ部６６に表示させてもよい。例えば、電極Ｃの順位が１位であり、電極Ａの順位が２位であり、電極Ｄの順位が３位の場合、制御部６８は、電極Ｃ，Ａ，Ｄを脳波測定用の電極として使用することを推奨する旨の情報をＵＩ部６６に表示させる。ユーザは、その推奨情報を参考にして電極を選択してもよい。
【０２９０】
また、ユーザによって電極が選択された場合、図４４に示すように、制御部６８は確認画面２３８をＵＩ部６６に表示させてもよい。例えば、２つの電極がユーザによって選択された場合、それら２つの電極が脳波測定用の電極として選択されたことを示す情報が表示される。また、制御部６８は、センサ電極として用いられる電極をユーザに問い合わせてもよいし、グランド電極として用いられる電極をユーザに問い合わせてもよい。その問い合わせに応じて、ユーザは、確認画面２３８上でセンサ電極やグランド電極を指定してもよい。
【０２９１】
確認画面２３８上でユーザが設定完了を指示した場合、図４５に示すように、表示制御部７４は、設定完了画面２４０をＵＩ部６６に表示させる。その後、ユーザによって選択された複数の電極を用いて脳波が測定される。
【０２９２】
脳波の測定状況が表示されてもよい。例えば、脳波測定用の電極として選択された電極によって電位が検知されていない場合、又は、選択された電極によって、予め定められた閾値以上の電位が検知されない場合、制御部６８は、警告画面をＵＩ部６６に表示させてもよい。図４６には、その警告画面２４２が示されている。例えば、電極Ｃ，Ｄが脳波測定用の電極として選択されている場合において、電極Ｃ，Ｄによって電位が検知されない場合や、電極Ｃ，Ｄによって閾値以上の電位が検知されない場合、制御部６８は、警告画面２４２をＵＩ部６６に表示させる。その警告画面２４２には、電極Ｃ，Ｄによって電位が検知されないことを示す情報が表示される。また、制御部６８は、電極Ｃ，Ｄ以外の電極（例えば電極Ａ，Ｂ）を使用することを推奨する旨を示す情報をＵＩ部６６に表示させてもよい。
【０２９３】
また、警告画面２４２上でユーザが電極を指定した場合、例えば図４７に示すように、制御部６８は、ユーザによって指定された電極によって検知された電位の波形２４４をＵＩ部６６に表示させてもよい。図４７に示す例では、電極Ｃがユーザによって指定されており、その電極Ｃによって検知された電位の波形２４４が表示されている。制御部６８は、別の電極の使用を促す情報、機器の電源や接続状況の確認を促す情報、イヤフォン装置１０の再起動を促す旨を示す情報、脳波測定アプリケーションの再起動を促す旨を示す情報、異常発生時の問い合わせ窓口へユーザを誘導するための情報、脳波測定の中止を促す旨を示す情報等をＵＩ部６６に表示させてもよい。
【０２９４】
なお、電極Ａ，Ｃは外耳道に挿入され、電極Ｂ，Ｄは耳掛け部に設けられて耳介の裏側の部分に接触するため、通常、生体表面に対する電極Ａ，Ｃの密着度は、生体表面に対する電極Ｂ，Ｄの密着度よりも高い。それ故、通常では、電極Ａ，Ｃのいずれかがセンサ電極として用いられ、電極Ｂ，Ｄのいずれかがグランド電極として用いられる。しかし、ユーザが動くことで、耳に対するイヤフォン装置１０の位置がずれて生体表面に対する電極Ａ，Ｃの密着度が低下し、電極Ａ，Ｃによる検知感度が低下する場合がある。この場合においても、その位置ずれによって、電極Ｂ，Ｄが耳介の裏側の生体表面に接触し易くなり、耳介の裏側の生体表面に対する電極Ｂ，Ｄの密着度が高くなって、電極Ｂ，Ｄによる検知感度が向上することもある。この場合、電極Ｂ，Ｄのいずれかがセンサ電極として用いられ、電極Ａ，Ｃのいずれかがグランド電極として用いられる。このように、イヤフォン装置１０の位置がずれた場合であっても、４つの電極の中のいずれかの電極がセンサ電極として用いられて脳波が測定される。
【０２９５】
上記の例では、４個の電極（電極Ａ，Ｂ，Ｃ，Ｄ）から２個又は３個の電極が選択されているが、３個の電極がイヤフォン装置１０に設けられている場合、３個の電極から２個又は３個の電極が選択されてもよいし、５個以上の電極がイヤフォン装置１０に設けられている場合、５個以上の電極から２個又は３個の電極が選択されてもよい。
【０２９６】
（データ通信制御に関する他の実施形態）
以下、イヤフォン装置１０と端末装置１２との間におけるデータ通信制御に関する他の実施形態に説明する。なお、端末装置１２の制御部６８とイヤフォン装置１０の制御部５８Ｌ，５８Ｒが通信制御手段の一例として機能する。
【０２９７】
（第１通信制御）
端末装置１２の通信部６０とイヤフォン装置１０の通信部５４Ｌ，５４Ｒは、第１通信制御として、互いに異なる通信方式を利用して情報を相手に送信してもよい。例えば、端末装置１２の通信部６０は、イヤフォン装置１０の通信部５４Ｌ，５４Ｒが利用する通信方式よりも通信速度が速い通信方式を利用して音楽データをイヤフォン装置１０に送信してもよい。具体的には、端末装置１２の通信部６０は、Ｗｉ−Ｆｉ通信等の通信方式を利用して音楽データをイヤフォン装置１０に送信し、イヤフォン装置１０の通信部５４Ｌ，５４Ｒは、ブルートゥースや赤外線通信等の近距離無線等の通信方式を利用して脳波測定結果を端末装置１２に送信する。音楽データの送信と脳波測定結果の送信とで互いに異なる通信方式を利用することで、互いに同一の通信方式を利用する場合と比べて、個々の通信方式による通信の負荷が軽減する。それ故、データ送信の遅延や失敗等の障害の発生が抑制される。また、一般的に、音楽データのデータ量は、脳波測定結果のデータ量よりも多い。音楽データの送信に、脳波測定結果の送信に用いられる通信方式よりも速い通信方式を利用することで、音楽データ送信の遅延等の障害の発生が抑制される。
【０２９８】
なお、イヤフォン装置１０においては、通信部５４Ｌ，５４Ｒの両方の通信部が用いられて端末装置１２との間で通信が行われてもよいし、いずれか一方の通信が用いられて端末装置１２との間で通信が行われてもよい。また、通信部５４Ｌ，５４Ｒの中の一方の通信部が脳波測定結果の送信に用いられ、他方の通信部が音楽データの受信に用いられてもよい。
【０２９９】
端末装置１２の通信部６０とイヤフォン装置１０の通信部５４Ｌ，５４Ｒは、通信状況に応じて、互いに同一の又は異なる通信方式を利用して情報を送信してもよい。例えば、通信部６０，５４Ｌ，５４Ｒが同一の通信方式を利用して音楽データと脳波測定結果の送受信を行っていたときに、その通信方式による通信の状況が特定の条件に該当するに至った場合、通信部６０，５４Ｌ，５４Ｒは、第１通信制御として、互いに異なる通信方式を利用して情報を送受信する。通信状況が特定の条件に該当しない場合、通信部６０，５４Ｌ，５４Ｒは、互いに同一の通信方式を利用して情報を送受信する。通信状況が特定の条件に該当する場合とは、例えば、使用中の通信回線の最大通信容量に対する通信量の割合が通信許容量以上（通信方式毎に許容量が定められてもよい）となった場合や、単位時間当たりの通信量が予め定められた通信量閾値以上（通信量閾値は通信方式毎に定められてもよい）となった場合や、通信速度が予め定められた通信速度閾値未満（通信速度閾値は通信方式毎に定められてもよい）となった場合等である。通信状況が特定の条件に該当する場合に互いに異なる通信方式を利用することで、個々の通信方式による通信の負荷が軽減するので、データ送信の遅延や失敗等の障害の発生が抑制される。
【０３００】
（第２通信制御）
端末装置１２の通信部６０は、音楽再生の開始指示がユーザによって与えられた場合、第２通信制御として、再生対象となる最初の１曲分の音楽データをイヤフォン装置１０に送信し、端末装置１２の再生制御部７６は、当該音楽データのイヤフォン装置１０への送信が完了した時点で、当該音楽データの再生を開始してもよい。例えば、イヤフォン装置１０に記憶部が設けられており、最初の１曲分の音楽データはその記憶部に記憶され、再生制御部７６は、その記憶部に記憶されている音楽データを再生する。その再生の開始後、端末装置１２の通信部６０は、２曲目以降の音楽データを端末装置１２に送信する。２曲目以降の音楽データはイヤフォン装置１０の記憶部に記憶される。１曲目の音楽データの再生中に２曲目以降の音楽データが徐々にイヤフォン装置１０の記憶部に格納されていく。こうすることで、通信状況が悪化して２曲目以降の音楽データの送信速度が遅くなったり間欠的になったりした場合であっても、音楽データの再生に１曲分の余裕があるため、音楽データの送信が再生に間に合わなくなる可能性が低くなる。それ故、音楽データの再生が途切れ難くなる。再生が終了した音楽データは、イヤフォン装置１０の記憶部から削除される。イヤフォン装置１０の通信部５４Ｌ，５４Ｒは、リアルタイムに（つまり電位が検知される度に）脳波測定結果を端末装置１２に送信する。通信状況が上記の特定の条件に該当する場合に、第２通信制御が行われてもよい。
【０３０１】
（第３通信制御）
イヤフォン装置１０の通信部５４Ｌ，５４Ｒは、第３通信制御として、脳波測定結果を間欠的に端末装置１２に送信してもよい。例えば、通信部５４Ｌ，５４Ｒは、予め定められた時間間隔毎に脳波測定結果を端末装置１２に送信する。具体的には、脳波測定結果を送信する時間帯と、脳波測定結果を送信しない時間帯が定められ、通信部５４Ｌ，５４Ｒは、その時間帯に従って脳波測定結果を送信する。なお、音楽データと脳波測定結果は、同一の通信方式を利用して送信されてもよいし、互いに異なる通信方式を利用して送信されてもよい。音楽データと脳波測定結果が同一の通信方式を利用して送信されている場合に、脳波測定結果が間欠的に送信されることで、脳波測定結果が送信されていない時間帯における通信負荷が軽減される。通信状況が上記の特定の条件に該当する場合に、第３通信制御が行われてもよい。
【０３０２】
端末装置１２の通信部６０は、第３通信制御として、音楽データを間欠的にイヤフォン装置１０に送信してもよい。この場合、音楽データはイヤフォン装置１０の記憶部に記憶され、端末装置１２の再生制御部７６は、その記憶部に記憶された音楽データを再生する。こうすることで、音楽データが送信されていない時間帯における通信負荷が軽減される。なお、音楽データの再生が途切れないように、間欠的に送られる各データの量が定められる。
【０３０３】
脳波測定結果と音楽データの両方が間欠的に送信されてもよいし、いずれか一方のデータが間欠的に送信されてもよい。
【０３０４】
また、端末装置１２の通信部６０とイヤフォン装置１０の通信部５４Ｌ，５４Ｒは、音楽データと脳波測定結果の送信タイミングをずらしてデータを送信してもよい。例えば、端末装置１２の通信部６０が音楽データをイヤフォン装置１０に送信している間、イヤフォン装置１０の通信部５４Ｌ，５４Ｒは脳波測定結果を端末装置１２に送信せず、端末装置１２の通信部６０が音楽データをイヤフォン装置１０に送信していない間、イヤフォン装置１０の通信部５４Ｌ，５４Ｒは脳波測定結果を端末装置１２に送信する。例えば、音楽データを送信する時間帯と音楽データを送信しない時間帯が定められ、音楽データを送信しない時間帯内に脳波測定結果を送信する時間帯が定められる。音楽データと脳波測定結果が同一の通信方式を利用して送信される場合に、音楽データと脳波測定結果の両方が間欠的に送信されてもよい。また、通信状況が特定の条件に該当する場合に、音楽データと脳波測定結果の両方が間欠的に送信されてもよい。
【０３０５】
（第４通信制御）
端末装置１２の通信部６０は、通信状況が上記の特定の条件に該当する場合、第４通信制御として、音楽データの音質を変えてイヤフォン装置１０に送信してもよい。例えば、端末装置１２の通信部６０は、通信状況が上記の特定の条件に該当する場合、通信状況が上記の特定の条件に該当しない場合と比べて、ビットレートを下げたり、音楽データの特定の周波数帯をカットしたりすることで、音楽データの通信量を削減する。こうすることで、音楽データの通信量を削減しない場合と比べて、通信の負荷が軽減される。
【０３０６】
（第５通信制御）
端末装置１２の制御部６８は、第５通信制御として音楽データを圧縮し、端末装置１２の通信部６０は、圧縮された音楽データをイヤフォン装置１０に送信してもよい。イヤフォン装置１０の制御部によって圧縮前の音楽データが復元（解凍、展開、伸張）され、復元された音楽データが再生される。こうすることで、音楽データの通信量が削減されるので、通信負荷が軽減される。通信状況が上記の特定の条件に該当する場合に、第５通信制御が行われてもよい。
【０３０７】
また、イヤフォン装置１０の制御部によって脳波測定結果を示す情報が圧縮され、イヤフォン装置１０の通信部５４Ｌ，５４Ｒは、圧縮された脳波測定結果を示す情報を端末装置１２に送信してもよい。端末装置１２の制御部６８は、圧縮前の脳波測定結果を復元する。通信状況が上記の特定の条件に該当する場合に、脳波測定結果が圧縮されてもよい。
【０３０８】
音楽データと脳波測定結果の両方が圧縮されてもよいし、いずれか一方のデータが圧縮されてもよい。
【０３０９】
上記の第１から第５通信制御の中から選択された複数の通信制御が組み合わされて実行されてもよい。また、通信状況に応じて、複数の通信制御が組み合わされて実行されてもいし、組み合わせの対象となる複数の通信制御が変更されてもよい。
【０３１０】
上記の第１から第５通信制御の実行をユーザに問い合わせるための情報がユーザに提供されてもよい。例えば、端末装置１２のＵＩ部６６に、問い合わせのための情報が表示されてもよいし、警告音等の音が発せられてもよい。
【０３１１】
図４８には、問い合わせのための画面２４６が示されている。その画面２４６は、端末装置１２のＵＩ部６６に表示される。例えば、通信状況が上記の特定の条件に該当する場合、端末装置１２の表示制御部７４は、画面２４６をＵＩ部６６に表示させる。例えば、通信不良が発生する可能性がある旨を示すメッセージと、上記の第１から第５通信制御としての省データモードに移行するか否かをユーザに問い合わせるメッセージが表示される。
【０３１２】
ユーザが省データモードの実行を指示した場合（例えばユーザがＹＥＳボタンを押した場合）、上記の第１から第５通信制御を示す情報がＵＩ部６６に表示され、第１から第５通信制御の中からユーザが通信制御を選択すると、表示制御部７４は、図４９に示すように、確認画面２４８をＵＩ部６６に表示させる。例えば、省データモード（３）（第３通信制御）がユーザによって選択された場合、第３通信制御に従った情報の送受信が行われる。もちろん、ユーザが通信制御を選択せずに、予め定められた通信制御に従って情報の送受信が行われてもよいし、通信状況に応じた通信制御に従って情報の送受信が行われてもよい。
【０３１３】
ユーザが省データモードの実行を拒否した場合（例えばユーザがＮＯボタンを押した場合）、表示制御部７４は、図５０に示すように、確認画面２５０をＵＩ部６６に表示させる。確認画面２５０には、例えば、現状の設定に従って通信を行う旨を示すメッセージが表示される。
【０３１４】
なお、端末装置１２は、複数のイヤフォン装置１０との間で情報を送受信してもよい。例えば図５１に示すように、端末装置１２は、イヤフォン装置１０Ａ，１０Ｂとの間で情報を送受信してもよい。イヤフォン装置１０Ａ，１０Ｂは、上記のイヤフォン装置１０と同じ構成を有する。この場合、イヤフォン装置毎に異なる通信方式が利用されてもよい。こうすることで、各通信方式における負荷が軽減される。また、端末装置１２と各イヤフォン装置との間の通信状況に応じて、個々のイヤフォン装置毎に、上記の第１から第５通信制御の中のいずれかの通信制御が実行されてもよい。端末装置１２は、各イヤフォン装置から送られた脳波測定結果に基づいて、個々のイヤフォン装置毎に異なる音楽データを送信してもよい。
【０３１５】
上記の実施形態及び他の実施形態では、コンテンツの一例としての音楽データがユーザに提供される。音楽データ以外のコンテンツとして、動画データ、静止画データ、地図情報、場所の案内に関する情報、食べ物に関する情報、買い物に関する情報、店舗に関する情報、等が、脳波測定結果に応じてユーザに提供されてもよい。例えば、脳波状態として「リラックス」がユーザによって指定された場合、リラックス効果がある動画データ、静止画データ、リラックス効果がある場所を示す地図情報、リラックス効果がある場所へユーザを案内するための情報、リラックス効果がある食べ物に関する情報、リラックス効果がある買い物に関する情報、リラックス効果がある店舗に関する情報等が、端末装置１２のＵＩ部６６に表示される。
【０３１６】
別の例として、脳波測定結果に基づいて、機器等が制御されてもよい。一例として、ユーザが自動車を運転しているときに、運転中のユーザの脳波が測定され、その脳波測定結果に基づいて自動車の走行モードが制御されてもよい。この制御は、端末装置１２によって行われてもよいし、自動車に搭載された制御装置によって行われてもよい。例えば、脳波測定結果が眠気を示している場合、自動車の走行モードが自動運転モードに切り替えられたり、警告が発せられたり、自動車が駐車させられたりする。なお、自動運転モードは、ユーザが運転操作を全く行わなくても自動的に自動車の運転が制御されるモードや、ユーザの運転操作を補助するモード（例えば、自動ブレーキ機能や自動ハンドル操作機能等）等を含む。
【０３１７】
更に別の例として、ユーザが電話している場合、当該ユーザの脳波測定結果を示す情報が、端末装置１２から電話相手の端末装置に送信されてもよい。その脳波測定結果に基づくアドバイス等が、電話相手から当該ユーザに与えられてもよい。また、脳波測定結果を示す情報が、端末装置１２から、予め登録された病院等の施設に設置された端末装置や、医療関係者の端末装置に送られ、診断や治療等に用いられてもよい。
【０３１８】
上記の端末装置１２は、一例としてハードウェアとソフトウェアとの協働により実現される。具体的には、端末装置１２は、図示しないＣＰＵ等の１又は複数のプロセッサを備えている。当該１又は複数のプロセッサが、図示しない記憶装置に記憶されたプログラムを読み出して実行することで、端末装置１２の各部の機能が実現される。上記プログラムは、例えばＣＤやＤＶＤ等の記録媒体を経由して、又は、ネットワーク等の通信経路を経由して、記憶装置に記憶される。別の例として、端末装置１２の各部は、例えばプロセッサや電子回路やＡＳＩＣ（Application Specific Integrated Circuit）等のハードウェア資源によって実現されてもよい。その実現においてメモリ等のデバイスが利用されてもよい。更に別の例として、端末装置１２の各部は、ＤＳＰ（Digital Signal Processor）やＦＰＧＡ（Field Programmable Gate Array）等によって実現されてもよい。
【符号の説明】
【０３１９】
１０  イヤフォン装置、１２  端末装置、１４  音楽配信サーバ。
【図１】
2018158089.tif 000003
【図２】
2018158089.tif 000004
【図３】
2018158089.tif 000005
【図４】
2018158089.tif 000006
【図５】
2018158089.tif 000007
【図６】
2018158089.tif 000008
【図７】
2018158089.tif 000009
【図８】
2018158089.tif 000010
【図９】
2018158089.tif 000011
【図１０】
2018158089.tif 000012
【図１１】
2018158089.tif 000013
【図１２】
2018158089.tif 000014
【図１３】
2018158089.tif 000015
【図１４】
2018158089.tif 000016
【図１５】
2018158089.tif 000017
【図１６】
2018158089.tif 000018
【図１７】
2018158089.tif 000019
【図１８】
2018158089.tif 000020
【図１９】
2018158089.tif 000021
【図２０】
2018158089.tif 000022
【図２１】
2018158089.tif 000023
【図２２】
2018158089.tif 000024
【図２３】
2018158089.tif 000025
【図２４】
2018158089.tif 000026
【図２５】
2018158089.tif 000027
【図２６】
2018158089.tif 000028
【図２７】
2018158089.tif 000029
【図２８】
2018158089.tif 000030
【図２９】
2018158089.tif 000031
【図３０】
2018158089.tif 000032
【図３１】
2018158089.tif 000033
【図３２】
2018158089.tif 000034
【図３３】
2018158089.tif 000035
【図３４】
2018158089.tif 000036
【図３５】
2018158089.tif 000037
【図３６】
2018158089.tif 000038
【図３７】
2018158089.tif 000039
【図３８】
2018158089.tif 000040
【図３９】
2018158089.tif 000041
【図４０】
2018158089.tif 000042
【図４１】
2018158089.tif 000043
【図４２】
2018158089.tif 000044
【図４３】
2018158089.tif 000045
【図４４】
2018158089.tif 000046
【図４５】
2018158089.tif 000047
【図４６】
2018158089.tif 000048
【図４７】
2018158089.tif 000049
【図４８】
2018158089.tif 000050
【図４９】
2018158089.tif 000051
【図５０】
2018158089.tif 000052
【図５１】
2018158089.tif 000053